(57)【要約】 【課題】本発明は、ユーザ操作の煩雑化を防止し、複数のアプリケーション機能の内容情報を表示可能とし、ユーザニーズに応じた簡便なＵＩを実現する通信装置を提供する。【解決手段】待受画面上の各表示領域に複数のアプリケーション機能の内容情報を表示可能な通信装置である。通信装置は、待受画面上の表示内容設定条件に基づいてアプリケーション機能の保有する個別内容情報を取得し、待受画面上の各表示領域の表示環境設定条件に基づいて待受画面上に各表示領域を生成し、各表示領域にいずれかのアプリケーション機能の個別内容情報を生成する制御を行う待受制御手段（３１）と、要求に基づいて待受制御手段の表示内容設定条件及び表示環境設定条件のいづれか一方又は双方を設定変更制御する設定変更制御手段（４０Ａ）とを含む。【選択図】図１
2008301377.tif 000002
【特許請求の範囲】
【請求項１】
待受画面上の各表示領域に複数のアプリケーション機能の内容情報を表示可能な通信装置であって、
前記待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御手段と、
要求に基づいて、前記待受制御手段の前記表示内容設定条件及び前記表示環境設定条件のいづれか一方又は双方を設定変更制御する設定変更制御手段と、
を含むことを特徴とする通信装置。
【請求項２】
請求項１に記載の通信装置において、
前記待受画面の各前記表示領域の表示環境設定条件をカスタマイズ設定可能な表示環境設定条件設定手段、
をさらに有し、
前記設定変更制御手段は、
前記表示環境設定条件設定手段からの変更要求に基づいて、前記待受制御手段の前記表示環境設定条件を変更制御すること、
を特徴とする通信装置。
【請求項３】
請求項１又は請求項２に記載の通信装置において、
前記待受画面の各前記表示領域の表示内容設定条件をカスタマイズ設定可能な表示内容設定条件設定手段、
をさらに有し、
前記設定変更制御手段は、
前記表示内容設定条件設定手段からの変更要求に基づいて、前記待受制御手段の前記表示内容設定条件を変更制御すること、
を特徴とする通信装置。
【請求項４】
請求項１乃至請求項３のうちいずれか一項に記載の通信装置において、
前記設定変更制御手段は、
前記複数のアプリケーション機能の利用状況である第１利用状況情報に基づいて、前記待受制御手段の前記表示内容設定条件を変更制御すること、
を特徴とする通信装置。
【請求項５】
請求項１乃至請求項４のうちいずれか一項に記載の通信装置において、
前記設定変更制御手段は、
前記アプリケーション機能の前記個別内容情報毎の利用状況を分析した第２利用状況情報に基づいて、前記待受制御手段の前記表示内容設定条件を変更制御すること、
を特徴とする通信装置。
【請求項６】
請求項１乃至請求項５のうちいずれか一項に記載の通信装置において、
前記設定変更制御手段は、
前記複数のアプリケーション機能の利用状況である第１利用状況情報に基づいて、前記待受制御手段の前記表示環境設定条件を変更制御すること、
を特徴とする通信装置。
【請求項７】
請求項１乃至請求項６のうちいずれか一項に記載の通信装置において、
前記設定変更制御手段は、
前記アプリケーション機能の前記個別内容情報毎の利用状況である第２利用状況情報に基づいて、前記待受制御手段の前記表示環境設定条件を変更制御すること、
を特徴とする通信装置。
【請求項８】
請求項１乃至請求項７のうちいずれか一項に記載の通信装置において、
前記表示環境設定条件は、各表示領域の配置位置情報を含み、
前記設定変更制御手段は、
前記待受制御手段にて定義されている前記各表示領域の配置位置情報を変更制御すること、
を特徴とする通信装置。  
【請求項９】
請求項１乃至請求項８のうちいずれか一項に記載の通信装置において、
前記表示内容設定条件は、各表示領域の各々に対応づけられる各個別内容情報を識別する個別内容情報識別情報を含み、
前記設定変更制御手段は、
前記待受制御手段にて定義されている前記個別内容情報識別情報を変更制御し、前記各表示領域に対応する各表示内容の対応関係を変更すること、
を特徴とする通信装置。
【請求項１０】
請求項１乃至請求項９のうちいずれか一項に記載の通信装置において、
前記表示領域は、画像情報を表示する画像情報表示領域を含み、
前記待受制御手段は、
前記画像情報を取得して前記待受画面上の前記画像情報表示領域に表示する制御を行うこと、
を特徴とする通信装置。
【請求項１１】
請求項１乃至請求項１０のうちいずれか一項に記載の通信装置において、
前記表示領域は、スケジュール管理機能の内容情報を表示するスケジュール情報表示領域を含み、
前記待受制御手段は、
前記スケジュール情報を取得して前記待受画面上の前記スケジュール情報表示領域に表示する制御を行うこと、
を特徴とする通信装置。
【請求項１２】
請求項１乃至請求項１１のうちいずれか一項に記載の通信装置において、
前記表示領域は、マルチメディア機能の保有する個別内容情報を表示するマルチメディア情報表示領域を含み、
前記待受制御手段は、
前記マルチメディア機能の保有する個別内容情報を取得して、前記待受画面上の前記マルチメディア情報表示領域に表示する制御を行うこと、
を特徴とする通信装置。
【請求項１３】
請求項１乃至請求項１２のうちいずれか一項に記載の通信装置において、
前記表示領域は、電話帳機能の保有する個別内容情報を表示する電話帳情報表示領域を含み、
前記待受制御手段は、
前記電話帳機能の保有する個別内容情報を取得して、前記待受画面上の前記電話帳表示領域に表示する制御を行うこと、
を含むことを特徴とする通信装置。
【請求項１４】
請求項１乃至請求項１３のうちいずれか一項に記載の通信装置において、
前記表示領域は、エンタテイメント機能の保有する個別内容情報を表示するエンタテイメント情報表示領域を含み、
前記待受制御手段は、
前記エンタテイメント機能の保有する個別内容情報を取得して、前記待受画面上の前記エンタテイメント情報表示領域に表示する制御を行うこと、
を特徴とする通信装置。
【請求項１５】
請求項１乃至請求項１４のうちいずれか一項に記載の通信装置において、
前記表示領域は、ブラウジング機能の保有する個別内容情報を表示するブラウジング情報表示領域を含み、
前記待受制御手段は、
前記ブラウジング機能の保有する個別内容情報を取得して、前記待受画面上の前記ブラウジング情報表示領域に表示する制御を行うこと
を特徴とする通信装置。
【請求項１６】
請求項１乃至請求項１５のうちいずれか一項に記載の通信装置において、
前記表示領域は、電子メール機能の保有する個別内容情報を表示する電子メール情報表示領域を含み、
前記待受制御手段は、
前記電子メール機能の保有する個別内容情報を取得して、前記電子メール情報表示領域に表示する制御を行うこと、
を特徴とする通信装置。
【請求項１７】
請求項１乃至請求項１６のうちいずれか一項に記載の通信装置において、
複数の各表示領域のうちいずれか一つの表示領域を表示選択する表示領域選択操作手段をさらに有し、
前記設定変更制御手段は、
前記表示領域選択操作手段にて選択された前記表示領域を他の表示領域より拡大して表示するように、前記待受制御手段の設定条件を変更制御すること、
を特徴とする通信装置。  
【請求項１８】
請求項１乃至請求項１６のうちいずれか一項に記載の通信装置において、
複数の各表示領域のうちいずれか一つの表示領域を表示選択する表示領域選択操作手段をさらに有し、
前記設定変更制御手段は、
前記表示領域選択操作手段にて選択された表示領域内の内容情報をスクロール可能に表示するように、前記待受制御手段の設定条件を変更制御すること、
を特徴とする通信装置。
【請求項１９】
請求項１乃至請求項１８のうちいずれか一項に記載の通信装置において、
第１の待受画面を表示する第１の表示手段と、
前記第１の待受画面と異なる表示態様の第２の待受画面を表示する第２の表示手段と、
をさらに有し、
前記待受制御手段は、
前記第１の待受画面と前記第２の待受画面をそれぞれ制御し、
前記変更制御手段は、
前記第１の待受画面と前記第２の待受画面のそれぞれの設定条件を設定変更制御すること、
を特徴とする通信装置。
【請求項２０】
待受画面上の各表示領域に、複数の各アプリケーション情報を各々表示する表示制御方法であって、
コンピュータが、前記待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御ステップと、
コンピュータが、要求に基づいて、前記待受制御ステップの前記表示内容設定条件及び前記表示環境設定条件のいづれか一方又は双方を設定変更制御する設定変更制御ステップと、
を含むことを特徴とする表示制御方法。
【請求項２１】
請求項２０に記載の表示制御方法において、
前記設定変更制御ステップは、
前記複数のアプリケーション機能の利用状況である第１利用状況情報に基づいて、前記待受制御ステップの前記表示環境設定条件を変更制御すること、
を特徴とする表示制御方法。
【請求項２２】
請求項２０又は請求項２１に記載の表示制御方法において、
前記設定変更制御ステップは、
前記アプリケーション機能の前記個別内容情報毎の利用状況を分析した第２利用状況情報に基づいて、前記待受制御ステップの前記表示内容設定条件を変更制御すること、
を特徴とする表示制御方法。
【請求項２３】
複数のアプリケーション機能を有するコンピュータが実行可能なプログラムであって、
待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御手段と、
要求に基づいて、前記待受制御手段の前記表示内容設定条件及び前記表示環境設定条件のいづれか一方又は双方を設定変更制御する設定変更制御手段として、
コンピュータを機能させることを特徴とするプログラム。
【請求項２４】
請求項２３に記載のプログラムにおいて、
前記設定変更制御手段は、
前記複数のアプリケーション機能の利用状況である第１利用状況情報に基づいて、前記待受制御手段の前記表示環境設定条件を変更制御すること、
を特徴とするプログラム。
【請求項２５】
請求項２３又は請求項２４に記載のプログラムにおいて、
前記設定変更制御手段は、
前記アプリケーション機能の前記個別内容情報毎の利用状況を分析した第２利用状況情報に基づいて、前記待受制御手段の前記表示内容設定条件を変更制御すること、
を特徴とするプログラム。
【発明の詳細な説明】
【技術分野】
【０００１】
本発明は、通信装置、表示制御方法、及びプログラムに関する。
【背景技術】
【０００２】
通信装置の一例である携帯電話機は、他の携帯電話機との間で無線通信を行う音声通信機能の他、電話帳機能、メール送受信機能など、付加的な多くの機能を有する。ユーザは、それらの機能からさまざまな情報を取得できる。
【０００３】
ところで、携帯電話機では、通常、例えば電話の着信を待機している状態（着信待受状態）において、ディスプレイに待受画面を表示している。そして、携帯電話機においては、例えば、待受画面にてメニュー釦等の操作を行うことにより機能選択メニューに画面遷移し、機能選択メニューのアイコン等を選択操作していくことで、下位の階層を辿っていって、目的のアプリケーション機能を起動し、目的とする各アプリケーションの保有する内容情報に辿り着く。このため、多機能化に伴い、メニュー構造が複雑になり、目的の情報に辿り着くのに煩雑な操作を必要とする。
【０００４】
このような煩雑化した操作性を簡便にする技術として、例えば、ユーザ自身がよく使用する機能を専用の機能設定メニューにアイコンとして登録し、よく使用する機能を少ない操作で起動できるようにすることが知られている。
【０００５】
また、内容情報を表示させるために、携帯電話機の待受画面の表示態様に関する技術として、例えば以下に示す特許文献１などが挙げられる。
【０００６】
特許文献１では、待受アプリケーションとして株価情報提供アプリケーションが登録されている場合に、表示部には、背景画像の主要部と重複しない株価情報表示領域に株価情報を表示し、ニュース表示領域に時事ニュースのヘッドライン情報をそれぞれ表示する。（段落番号００４８〜００５２、図６）。なお、株価情報及び時事ニュースのヘッドライン情報は、株価情報表示領域及びニュース情報表示領域において、それぞれディッカー形式で表示される（段落番号００５３）。さらに、株価情報表示領域及びニュース情報表示領域の表示領域は２つ形成されているが、これらの各表示領域は、証券会社により株価情報及び時事ニュースのヘッドライン情報が提供される一つの「待受アプリケーション」によって提供される（段落番号００３８）。即ち、特許文献１の待受画面上では、複数のアプリーケションの中から選択された一つのアプリケーションが実行可能である（段落番号００３８）。
【特許文献１】特開２００５−３９５２５号公報
【発明の開示】
【発明が解決しようとする課題】
【０００７】
しかしながら、機能設定メニューやアイコン等では、選択操作を行いアプリケーション機能を起動させなければ、内容情報を表示することができない。すなわち、各アプリケーションの個別情報（内容情報）を表示するには、待受画面上からメニューを表示させて下位の階層にいって選択操作を行うという煩雑な操作が伴う。このため、一の機能を利用した後に、他の機能を利用するには、一の機能の内容情報に辿り着いた後に、あらためてメニューを呼び出して上位階層から辿っていく必要があり、複数のアプリケーション機能を利用する際に手間がかかりユーザの負担が増大する。このようなことは、多機能化、多情報化するほど、ユーザ操作の煩雑化も増大する。
【０００８】
また、携帯電話の操作は、ユーザ層によりさまざまなニーズに分かれていることが多い。例えば、若年層と老齢層とでは頻繁に利用する機能も異なる。また、携帯電話の機能を全て使うユーザや、特定の相手に対して電話やメールなどを利用するだけのユーザーなど、様々なユーザニーズがある。このため、携帯電話では、多機能化・多情報化するほど、全てのユーザニーズを網羅できない、という改善すべき点があった。
【０００９】
また、特許文献１では、待受画面上にて情報はディッカー形式でしか表示されず、詳細な内容情報を閲覧するには専用の操作ボタンを操作して画面展開する必要がある。このため、詳細な内容情報画面が表示されると、他の種類の情報は閲覧できないという、改善すべき点があった。
さらに、特許文献１では、ダウンロードによって取得した一つの待受アプリケーションの情報しか待受画面上で表示できない。加えて、待受画面上にて、画面遷移をさせることなく、携帯電話機に備えられている携帯電話機内のアプリケーション機能（例えば電話帳など）の内容表示ができない。
【００１０】
本発明は、上記した技術の改善すべき点を解決することを課題としてなされたものであって、その目的とするところは、複数のアプリケーション機能の内容情報を表示可能としながらも、多機能化・多情報化による操作の煩雑化を防止し、ユーザニーズに応じた簡便なユーザインターフェースを実現可能な通信装置、表示制御方法、及びプログラムを提供することにある。
【課題を解決するための手段】
【００１１】
上記目的は、独立請求項に記載の特徴の組み合わせにより達成され、また、下位請求項は、発明の更なる有利な具体例を規定する。この発明の概要は、必要な特徴すべてを列挙しているものではなく、よってここには記載されない下位請求項並びにこれらの特徴群の下位結合（サブコンビネーション）も発明になり得る。
本発明の通信装置は、待受画面上の各表示領域に複数のアプリケーション機能の内容情報を表示可能な通信装置であって、前記待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御手段と、要求に基づいて、前記待受制御手段の前記表示内容設定条件及び前記表示環境設定条件のいづれか一方又は双方を設定変更制御する設定変更制御手段と、を含むことを特徴としている。
【００１２】
本発明の表示制御方法は、待受画面上の各表示領域に、複数の各アプリケーション情報を各々表示する表示制御方法であって、コンピュータが、前記待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御ステップと、コンピュータが、要求に基づいて、前記待受制御ステップの前記表示内容設定条件及び前記表示環境設定条件のいづれか一方又は双方を設定変更制御する設定変更制御ステップと、を含むことを特徴としている。
【００１３】
本発明のプログラムは、複数のアプリケーション機能を有するコンピュータが実行可能なプログラムであって、待受画面上の各表示領域の表示内容設定条件に基づいて前記アプリケーション機能の保有する個別内容情報を取得し、前記待受画面上の表示環境設定条件に基づいて前記待受画面上に各表示領域を生成し、各前記表示領域にいずれかの前記アプリケーション機能の前記個別内容情報を生成する制御を行う待受制御手段と、要求に基づいて、前記待受制御手段の前記表示内容設定条件及び前記表示環境設定条件のいづれか一方又は双方を設定変更制御する設定変更制御手段として、コンピュータを機能させることを特徴としている。
本発明の作用及び他の利得は以下に説明する実施例から明らかにされよう。
【発明の効果】
【００１４】
本発明によれば、多機能・多情報を閲覧可能な待受画面の設定条件を、ユーザニーズに応じて適宜設定変更でき、簡単かつ効率的な画面デザインにできる。
【発明を実施するための最良の形態】
【００１５】
なお、以下に説明する実施例は、特許請求の範囲に記載された本発明の内容を不当に限定するものではない。また、実施例で説明される構成の全てが、本発明の必須構成要件であるとは限らない。  
【００１６】
〔本発明の概要〕
以下に本発明の概要を説明するが、括弧内の番号等は、図面における対応する要素を示す便宜的なものであり、従って、本記述は図面上の記載に限定拘束されるものではない。
【００１７】
本発明の概要の第１の観点の通信装置（例えば図１に示す符号１）は、待受画面上の各表示領域に複数のアプリケーション機能の内容情報を表示可能な通信装置であって、前記待受画面上の各表示領域の表示内容設定条件に基づいて前記アプリケーション機能の保有する個別内容情報を取得し、前記待受画面上の各表示領域の表示環境設定条件に基づいて前記待受画面上に各表示領域を生成し、各前記表示領域にいずれかの前記アプリケーション機能の前記個別内容情報を生成する制御を行う待受制御手段（例えば図１に示す符号３１）と、要求に基づいて、前記待受制御手段の前記表示内容設定条件及び前記表示環境設定条件のいづれか一方又は双方を設定変更制御する設定変更制御手段（例えば図１に示す符号３０Ａ）と、を含む。
【００１８】
第１の観点の通信装置では、待受制御手段は、複数のアプリケーション機能が保有する各々の個別内容情報を、待受画面上の各表示領域に生成する制御を行う。この際、待受制御手段は、各表示領域の配置位置、各表示領域のサイズなどの表示環境設定条件に基づいて待受画面の各表示領域を生成制御する。また、待受制御手段は、各表示領域にて表示されるべきアプリケーション機能の個別内容情報を規定した表示内容設定条件に基づいて、待受画面の各表示領域の各表示内容（個別詳細内容情報を含む個別内容情報）を生成制御する。
設定変更制御手段は、要求に基づいて、待受制御手段の表示内容設定条件の設定制御（初期設定の制御）、あるいは変更制御（初期設定後の変更制御）を行う。また、変更制御手段は、要求に基づいて、待受制御手段の表示環境設定条件の設定制御、あるいは変更制御を行う。
【００１９】
ここで、「要求」としては、前記待受画面の各前記表示領域の表示環境設定条件をカスタマイズ設定可能な表示環境設定条件設定手段からの変更要求などがある。また、前記待受画面の各前記表示領域の表示内容設定条件をカスタマイズ設定可能な表示内容設定条件設定手段からの変更要求などがある。
このようにすることにより、通信装置の多機能化・多情報化が図られたとしても、簡単かつ効果的に操作する事ができ、かつ、多様化するニーズに対応をする柔軟性のある画面デザインを実現できる。
【００２０】
さらに、「要求」としては、利用状況情報の一例である利用頻度情報による変更要求などがある。
すなわち、前記設定変更制御手段は、前記複数のアプリケーション機能の利用状況である第１利用状況情報に基づいて、前記待受制御手段の前記表示内容設定条件を変更制御する機能や、前記アプリケーション機能の前記個別内容情報毎の利用状況を分析した第２利用状況情報に基づいて、前記待受制御手段の前記表示内容設定条件を変更制御する機能、前記複数のアプリケーション機能の利用状況である第１利用状況情報に基づいて、前記待受制御手段の前記表示環境設定条件を変更制御する機能、前記アプリケーション機能の前記個別内容情報毎の利用状況である第２利用状況情報に基づいて、前記待受制御手段の前記表示環境設定条件を変更制御する機能などを有してよい。
なお、第１利用状況情報、第２利用状況情報を含む「利用状況情報」としては、利用頻度情報の他、利用頻度情報に各種演算が施された統計情報、キーワードなど特定の意味を構成する文字情報、などを含む。
【００２１】
これにより、利用頻度に応じて自動的に普段良く使う機能の内部情報のみの閲覧も可能となり、ユーザの利便性が向上する。また、表示環境が変更可変されるので、設定の手間が省ける。
【００２２】
以下、本発明の好適な実施例の一例について、図面を参照して具体的に説明する。  
〔第１の実施例〕  
本実施例では、待受画面に表示される複数のアプリケーション機能の内容情報の各表示領域の表示環境をユーザがカスタマイズ設定可能な第１機能を有する場合の例について説明する。
【００２３】
（携帯電話機の全体構成）
（ハードウエア構成）
先ず、本発明の通信装置の具体的構成について、全体のハードウエア構成から説明し、続いて、ソフトウエア構成及び各部の詳細構成について説明することとする。
本実施例の通信装置のソフトウエア機能を動作させる前提となる、通信装置のハードウエアの概略構成について、図１を参照しつつ説明する。図１は、本実施例による通信装置の全体構成を示すブロック図である。なお、本実施例では、通信装置の一例である例えば「携帯電話機」について説明することとする。
【００２４】
本実施例の携帯電話機１は、複数の各アプリケーション機能の個別内容情報を（利用可能な状態で）待受画面の各表示領域に表示可能とし、各表示領域の表示内容及び表示環境をカスタマイズ設定可能とするものであり、図１に示すように、ハードウエア構成として、操作入力部１１と、表示部の一例であるモニタ１３と、電源処理部１４と、記憶部の一例である情報書込可能なＲＡＭ１５と、記憶部の一例であるＲＯＭ１６と、他の通信装置と通信可能な通信部１７と、これら各部の制御を司る主制御部の一例であるＣＰＵ１８と、を含んで構成される。
【００２５】
操作入力部１１は、ハードウエア構成として、複数のキー群よりなる電話番号等を入力する各操作ボタン部と、例えばニューロポインタ（押下操作部を傾けることで、ポインタ＜カーソル＞を３６０度自由に移動できる）、ジョグダイアル、ジョイスティック、スライダー、上下方向及び左右方向の４方向方向移動ボタン及び決定ボタンが一体化したボタン、等からなるポインタ方向移動操作部と、を含んで構成される。
また、操作入力部１１には、待受画面の各表示領域の表示環境設定条件（例えば、各表示領域の配置位置、サイズ、表示領域輪郭の色、模様、背景画像など）を設定するための第１の設定部１１ａとしての第１設定機能（表示環境設定条件設定手段）と、（待受画面の各表示領域に如何なるアプリケーション機能の種類を割り当てるか＜関連付けさせるか＞或いは一つのアプリケーション機能の保有する複数の個別内容情報うち如何なる個別内容情報を各表示領域に割り当てるかなどの）表示内容設定条件を設定するための第２の設定部１１ｂとしての第２設定機能（表示内容設定条件設定手段）と、その他各種の必要な選択操作又は操作入力を行うための各種操作部１２と、を含んで構成される。
【００２６】
これらの、「第１の設定部１１ａ」、「第２の設定部１１ｂ」、「各種操作部１２」は、前記各操作ボタン部及び方向移動操作部の組み合わせによって機能として割り当てられるハードウエア及びソフトウエアによる組み合わせによって構成してもよいし、ハードウエアとして専用の操作部を構成してもよいし、モニタ１３に表示される表示画面上の表示操作部としてソフトウエア的に構成してもよい。
【００２７】
各種操作部１２には、複数の各表示領域のうちいずれか一つの表示領域を表示選択する表示領域選択操作手段などを含んでいてよい。
【００２８】
モニタ１３は、種々の情報等を表示するための表示部（スクリーン）であり、例えば、液晶ディスプレイ、ＥＬ（エレクトロルミネセンス）などのスクリーンにて形成することが好ましい。モニタ１３には、電源投入とともに、ウエイクアップ画面が表示され、自動的に画面展開されて本発明のポータルサイト型ＵＩの待受画面に遷移する（待受画面表示状態１３ａ）。また、ポータルサイト型ＵＩの待受画面を設定するには、ポータルサイト型ＵＩの待受画面表示状態１３ｂにて直接設定する第１設定方式であってもよいし、他の専用の設定画面である待受画面設定条件設定画面表示状態１３ａにて設定を行う第２設定方式であってもよい。
第２設定方式の場合は、待受画面表示状態１３ｂより待受画面設定条件設定画面表示状態１３ａに画面遷移させ、各種設定を行い、保存をし、「設定有効状態」とすることで設定を行うことができる。
いずれの方式であっても、モニタ１３に表示される表示画面上（各種選択部、各種入力欄等）にデータの操作入力或いは選択を行う操作入力部１１を操作することで、待受画面上の各表示領域の設定を行うことができる。
【００２９】
電源処理部１４は、電源投入に基づいて各部に電力を供給可能な電源回路部、省電力モード（スタンバイ状態）時などに電力制御を行う省電力制御回路部などを含む。
【００３０】
ＲＡＭ１５は、各種アプリケーションプログラムや各種データ、あるいは種々の処理のワークエリアや、他のデータを書き込み可能なエリアを有する。ＲＡＭ１５のデータ記憶領域には、例えば、設定条件情報記憶部１５ａを含んで構成される。
【００３１】
設定条件情報記憶部１５ａには、操作入力部１１の第１の設定部１１ａや第２の設定部１１ｂにて設定された待受画面の表示環境設定条件情報、表示内容設定条件情報などが記憶されることが好ましい。また、設定条件情報記憶部１５ａは、表示環境設定条件と表示内容設定条件とを対応して記憶している（表示環境設定条件と表示内容設定条件との対応関係を示す情報を含む）。
さらに、設定条件情報記憶部１５ａは、予め複数用意されたポータルサイト型ＵＩの雛形ファイルなどを含んでいてよい。
【００３２】
表示環境設定条件情報は、各表示領域をどのような表示位置にてどのような表示配列とするか、各表示領域の表示サイズや表示領域輪郭色、表示領域内背景色などをどのようにするかなどの各種制約情報を含む。
表示内容設定条件情報は、待受画面上の各表示領域にどのようなアプリケーションの内容情報を表示させるかなどの制約情報を含む。
なお、これらの設定条件情報は、待受制御部３１の例えばＸＭＬファイルの対応記載箇所に書き込んでもよいし、設定用ＸＭＬファイルを生成して待受制御部３１に上書き保存してもよい。
各設定部により所望の設定がなされた場合には、設定変更制御部を介して新たなファイルが作成され保存される。
【００３３】
ＲＯＭ１６は、携帯電話機１の動作に必要なＯＳ（オペレーティングシステム）などのプログラムを含む。
【００３４】
通信部１７は、他の通信装置との間で各種信号・データを送受信するための送受信手段として機能する。
【００３５】
ＣＰＵ１８は、これらの各部の制御を司る中央制御部として機能する。ソフトウエア構成（プログラム制御部）２０は、後述するプログラム及びデータよりなり、ＣＰＵ１８が発揮する複数の機能を、複数の部による構成要素の組み合わせとして表現したものである。具体的には、図１に示すブロック図における一部の各ブロック（例えば符号２１、２２、２３、２４、２５、２６、３１、３２、３３、３４、３５等）は、コンピュータが適宜なメモリに格納された各種プログラムを実行することにより、該プログラムにより機能化された状態を示すソフトウエアモジュール構成である。すなわち、物理的構成は例えば一又は複数のＣＰＵ（或いは一又は複数のＣＰＵと一又は複数のメモリ）等ではあるが、各部によるソフトウエア構成は、プログラムの制御によってＣＰＵが発揮する複数の機能を、それぞれ複数の制御部による構成要素として表現したものである。ＣＰＵがプログラムによって実行されている動的状態（プログラムを構成する各手順を実行している状態）を機能表現した場合、ＣＰＵ内に各部が構成されることになる。プログラムが実行されていない静的状態にあっては、各部の構成を実現するプログラム全体（或いは各部の構成に含まれるプログラム各部）は、メモリなどの記憶領域に記憶されている。以下に示す各部の説明は、プログラムにより機能化されたコンピュータをプログラムの機能と共に説明したものと解釈することも出来るし、また、固有のハードウエアにより恒久的に機能化された複数の電子回路ブロックからなる装置を説明したものとも解釈することが出来ることは、当然である。したがって、これらの機能ブロックがハードウェアのみ、ソフトウェアのみ、またはそれらの組合せによっていろいろな形で実現でき、いずれかに限定されるものではない。
【００３６】
（ソフトウエア構成）
次に、ポータルサイト型ＵＩを待受画面にて実現するためのソフトウエア構成の概略構成を、図１を参照しつつ説明する。
通信装置の一例である携帯電話機１は、ソフトウエア構成のアプリケーション機能として、マルチメディア制御部２１（マルチメディア機能）と、電話帳制御部２２（電話帳機能）と、エンタテイメント制御部２３（エンタテメント機能）と、ブラウジング制御部２４（ブラウジング機能）と、メーラ制御部２５（電子メール機能）と、その他のアプリケーション制御部２６（その他のアプリケーション機能）とを含む。さらに、携帯電話機１のソフトウエア構成としては、これらの各アプリケーションの各個有内容情報を取得して待受画面を表示構成するための待受制御部３１と、この待受制御部３１からの情報や他の画面制御部からの画面情報などに基づいてモニタに表示する表示制御を行う表示制御部３３と、待受制御部３１内の設定条件を設定変更制御する設定変更制御部４０Ａと、を含んで構成される。
【００３７】
マルチメディア制御部２１は、例えば、静止画撮影や動画撮影また閲覧などのカメラ機能部ないしは画像編集ソフトウエアなどの画像編集機能部、地上デジタル放送などのＴＶ閲覧機能部、ボイスレコーダなどの音声録音再生機能部、ドキュメントビュー、ＰＤＦビューなどの文書編集ソフトウエア機能部、２次元バーコードリーダ・ＯＣＲなどの画像認識・文字認識ソフトウエア機能部、トルカ・ＩＣカードなどの非接触型ＩＣ通信用ソフトウエア機能部、ビデオなどの画像処理ソフトウエア機能部、プリントなどの印刷ソフトウエア機能部、ＴＶ電話などの制御処理を行うＴＶ電話制御処理ソフトウエア機能部、などの各種の機能部を含む。
【００３８】
電話帳制御部２２は、電話帳などを管理する電話帳管理ソフトウエア機能部などを含む。電話帳には、電話番号情報、住所やその他の種々の個人情報、電話番号相手の画像情報（静止画・動画を含む）などの情報が関連付けられている。
【００３９】
エンタテイメト制御部２２は、例えば、複数のゲーム関連のソフトウエア機能部などを含む。
【００４０】
ブラウジング制御部２４は、Ｗｅｂなどのネットワークを介して提供されるコンテンツ閲覧機能を制御し、例えば、ｉモードブラウザ、ｉチャネル、フルブラウザなどのブラウジングソフトウエアなどのブラウジング機能部を含む。
【００４１】
メーラ制御部２５は、メール送受信機能を制御し、例えば、受信ＢＯＸ機能部、送信ＢＯＸ機能部、保存ＢＯＸ機能部、新規メール作成機能部、チャットメール機能部、ＳＭＳ作成機能部、などを含む。
【００４２】
その他のアプリケーション制御部２６は、例えば、スケジュール管理ソフトウエアなどのスケジュール管理機能部、電卓による数値計算などを行う数値計算ソフトウエアなどの数値計算機能部、タイマー・アラームなどの計時機能部、他の通信装置との赤外線通信を行う赤外線通信機能部、テキストメモ・Ｔｏ―ｄｏリストなどの文章作成機能部、ユーザ辞書やダウンロード辞書などの辞書機能部、リモコンなどの電子機器を遠隔操作するエミュレーションを行う電子機器遠隔操作機能部、ｉアプリなどの各種アプリケーションプログラム、ファイル共有機能、などの各制御部（機能）を含む。
【００４３】
待受制御部３１は、待受画面上の各表示領域の表示内容設定条件に基づいて前記アプリケーション機能の保有する個別内容情報を取得し、前記待受画面上の各表示領域の表示環境設定条件に基づいて前記待受画面上に各表示領域を生成し、各前記表示領域にいずれかの前記アプリケーション機能の前記個別内容情報を生成する制御を行う。
【００４４】
具体的には、待受制御部３１は、スクリプト言語などにより記述された待受データ部と、待受データ部に記述されているスクリプト言語により携帯電話機１内の個々のアプリケーション機能部で保有している個別内容情報や他の種々の情報を取得するアプリケーション情報取得部と、スクリプト言語などを解析するスクリプトエンジン部（スクリプト解釈部）と、を含んで構成される。
アプリケーション情報取得部は、定期的に情報取得を行う各部を制御する機能を含む。
【００４５】
待受データ部は、例えば、レイアウト又はビューを定義したコードを含む主ファイル部、動作及びイベント処理を実行する関数を生成する機能を有するスクリプトファイル部、関連付け情報（各表示領域の周縁輪郭部に生成されるアイコンなど）ファイル部、ＵＩコンポーネント（操作部など）、画像ファイル部、などを含んで構成される。
【００４６】
なお、待受制御部３１に関連する各種プログラム、各種データは、記憶部であるＲＡＭ１５内に記憶されていてよい。すなわち、待受制御部３１によって生成される各表示領域データ（ＵＩデータ）、各表示領域の各個別内容情報、などはＲＡＭ１５内の各記憶領域に記憶されていてよい。
【００４７】
表示制御部３３は、モニタ１３上に待受画面を表示すべきモードの際には、待受制御部３１からの待受画面をモニタ１３上に表示し、他の各種の画面（例えば、ウェイクアップ画面（電源投入時）、音声電話着信画面、音声電話発信画面、ＴＶ電話着信画面、ＴＶ電話発信画面、メール送信画面、メール受信画面、等）を表示すべき各種モードの際には、他の各種の画面のうちのいずれかの画面をモニタ１３上に表示するよう切替制御する機能を有する。
例えば、表示制御部３３は、電話着信時には、（ポータルサイト型ＵＩの）待受画面より電話着信画面に遷移させ、通話終了時には、再度、（ポータルサイト型ＵＩの）待受画面に戻すよう遷移させる。
【００４８】
なお、図においては、符号２０のソフトウエア構成として機能するプログラム制御部内には、画面を制御する機能として、待受画面を制御する待受制御部を構成する例を示しているが、この他図示されていないその他の各画面を制御する機能、すなわち、電話着信時の電話着信画面を制御する電話着信画面制御部、電子メール着信時の電子メール着信画面を制御する電子メール着信画面制御部などを含んで構成してよい。
これにより、表示制御部３３は、モニタ上に待受画面を表示した待受画面状態から電話着信画面に遷移させ、さらに、通話終了後には、再び待受画面を表示した状態に戻すといった一連の表示制御を行うことができる。また、表示制御部３３は、電源投入時に、ウェイクアップ画面を表示させ、その後、待受画面を表示させる制御を行うことができる。さらに、表示制御部３３は、必要に応じて発着信画面、メール送受信画面、などの他の画面を表示するように表示制御することができる。
【００４９】
設定変更制御部４０Ａは、待受制御部３１の設定条件を書き換えることで設定条件の変更などの編集を行なう編集制御部４１と、待受画面上での選択された表示領域の拡大・縮小処理や表示領域内の内容情報のスクロール処理などに必要な制御部などが内在されるその他の制御部４５と、を含んで構成される。
【００５０】
編集制御部４１は、要求に基づいて、待受制御部３１の主ファイル部を編集し、当初のＵＩ要素に基づいて、変更後のＵＩ要素を生成して、新たな主ファイル部を生成するとともに、当初のＵＩ要素を特定の記憶領域に記憶しておく。すなわち、カスタマイズ後のＵＩ要素を待受制御部３１に指定することで、当該カスタマイズ後のＵＩ要素を表示制御部３３に送らせしめ、モニタに表示できるようにする。
【００５１】
編集制御部４１は、待受画面の表示環境設定条件を制御する表示環境設定条件設定制御部４２と、待受画面の表示内容設定条件を制御する表示内容設定条件設定制御部４４と、を含んで構成される。編集制御部３０Ａは、待受制御部３１内の情報（例えば、表示内容設定条件や表示環境設定条件など）、すなわち待受画面に表示される情報の編集を行うことができるカスタマイザ、開発ツールを含む。
【００５２】
待受画面表示環境設定条件設定制御部４２は、第１の設定部１１ａにて設定された表示環境設定条件情報をＲＡＭ１５内の設定条件情報記憶部１５ａに記憶するとともに、待受制御部３１に対して表示環境設定条件を書き込む制御処理を行う。
【００５３】
また、待受画面表示環境設定条件設定制御部４２は、操作入力部１１からの操作入力に基づいて、設定される待受画面の表示環境情報を特定の記憶領域に書き込むことで、設定表示環境情報での待受画面を待受制御部３１に構成せしめる制御を行う機能、カスタマイズされた表示環境情報を待受制御部３１内の主ファイル部の更新処理を制御する書込制御機能などを含む。
【００５４】
待受画面表示内容設定条件設定制御部４２は、第２の設定部１１ｂにて設定された表示内容設定条件情報をＲＡＭ１５内の設定条件情報記憶部１５ａに記憶するとともに、待受制御部３１に対して表示内容設定条件を書き込む制御処理を行う。
【００５５】
その他の制御部４５は、必要な各種制御機能を含む。例えば、操作入力部１１のニューロポインタなど各種操作部１２内に含まれる表示領域選択操作手段）による待受画面上の各表示領域内の内容表示画面情報をスクロール表示可能なスクロール制御部、待受画面上の各表示領域のうち、操作入力部１１のニューロポインタなど（各種操作部１２内に含まれる表示領域選択操作手段）により選択指定された表示領域を必要に応じて拡大・縮小するように、待受制御部３１内の各種表示環境設定条件を変更制御するなどの処理を行う表示領域拡大・縮小制御部などの機能、などを含んで構成されている。
【００５６】
ここで、本発明に記載の構成要件との対応関係について述べると、特に、本発明の「待受制御手段」は、待受制御部３１に該当する。また、「設定変更制御手段」は、設定変更制御部４０Ａに該当する。「待受制御手段」は、前記待受画面上の各表示領域の表示内容設定条件に基づいて前記アプリケーション機能の保有する個別内容情報を取得し、前記待受画面上の各表示領域の表示環境設定条件に基づいて前記待受画面上に各表示領域を生成し、各前記表示領域にいずれかの前記アプリケーション機能の前記個別内容情報を生成する制御を行う。「設定変更制御手段」は、要求に基づいて、前記待受制御手段の前記表示内容設定条件及び前記表示環境設定条件のいづれか一方又は双方を設定変更制御する。
【００５７】
この「設定変更制御手段」は、各種操作部１２内に含まれる表示領域選択操作手段にて選択された表示領域を他の表示領域より拡大して表示するように、前記待受制御手段の設定条件を変更制御することができる。さらに、「設定変更制御手段」は、表示領域選択操作手段にて選択された表示領域内の内容情報をスクロール可能に表示するように、前記待受制御手段の設定条件を変更制御することができる。
【００５８】
また、設定変更制御手段は、表示環境設定条件が各表示領域の配置位置情報を含む場合に、待受制御手段にて定義されている前記各表示領域の配置位置情報を変更制御することができる。さらに、設定変更制御手段は、表示内容設定条件が各表示領域の各々に対応づけられる各個別内容情報を識別する個別内容情報識別情報を含む場合に、待受制御手段にて定義されている前記個別内容情報識別情報を変更制御し、前記各表示領域に対応する各表示内容の対応関係を変更することができる。
【００５９】
（通信装置の全体の概略動作）
上述のような構成からなる携帯電話機において、概略以下のように動作する。先ず、所有者(ユーザー)が携帯電話機を購入した時に、図２に示してあるようなポータルサイト型ＵＩを設定する。この際、携帯電話機１内に予め用意されているコンテンツや、任意のサイトからダウンロードした種々の情報に基づいて、ポータルサイト型ＵＩとして設定をする。
【００６０】
具体的には、ユーザーは、ポータルサイト型ＵＩの待受画面のカスタマイズ、編集を行うために、各種操作部１２により待受画面編集制御機能を有する編集制御部４１を機能させ、モニタ１３上に待受画面設定条件設定画面表示状態１３ａを生成する。
【００６１】
そして、この状態において、ユーザは、第１の設定部１１ａにより各表示領域の表示環境設定条件（例えば、各表示領域の配置位置、各表示領域の各々のサイズ、表示領域輪郭色など）を設定する。
編集制御部４１の待受画面表示環境設定条件設定制御部４２は、第１の設定部１１ａにより設定された表示環境に関する各種設定条件情報を、ＲＡＭ１５内の設定条件情報記憶部１５ａに記憶する制御処理を行う。
なお、この待受画面上を白紙の状態から、編集制御部４１が提供する線描画や四角形モデルなどの基本パーツを用いることによって、各表示領域の設定作業を行ってもよいし、予め設定条件情報記憶部１５ａなどに記憶されているポータルサイト型ＵＩの複数の雛形ファイルをカスタマイズすることによって表示領域の構築作業を行うようにしてもよい。
【００６２】
さらに、ユーザは、各表示領域のサイズ（枠の大きさ）やレイアウト（配置位置）などが決まると、第２の設定部１１ｂにより表示内容設定条件を設定する。具体的には、表示内容設定条件としては、各表示領域にどのようなアプリケーション機能を割り当てるか（例えば、メール機能を設定するのか、電話帳機能を設定するのか、ブラウジング機能を設定するのか、など）を示す種類情報、或いはどのような（アプリケーション機能の保有する）個別内容情報を設定するのか（例えば、ブラウジング機能の利用であればどのサイトの情報を閲覧可能状態とするか、マルチメディア機能のうちＴＶ「ワンセグ」であればどのチャンネルを閲覧可能状態とするか、など）を示す個別内容情報識別情報などを含む。そして、これらの表示内容設定条件を一つ一つの表示領域について設定する。
【００６３】
編集制御部４１の待受画面表示内容設定条件設定制御部４４は、第２の設定部１１ｂにより設定された表示内容に関する各種設定条件情報を、ＲＡＭ１５内の設定条件情報記憶部１５ａに記憶する制御処理を行う。
【００６４】
一つの表示領域に機能を設定するには、ハードウエア構成のニューロポインタ等を利用して、機能を割り当てる表示領域を指定し、次いで、他の操作によってアプリケーションの設定機能一覧を表示させ、種々の項目の選択、あるいは必要に応じて入力欄に入力し、機能を仮確定する旨の選択操作等を行うとによって設定を行う。機能が仮確定すると、表示領域には仮確定のアプリケーションが起動状態で表示され、機能に応じて種々の個別内容情報が表示される。
【００６５】
ここで、アプリケーション機能がブラウジング制御部２４の例えばブラウザであって、特定の検索サイト（例えば地図情報検索サイトなど）を指定した場合には、検索入力欄が表示された状態となることが考えられる。すなわち、表示領域には検索入力欄の表示状態となる。ユーザーがもしこの状態でよければ本確定を行う。一方、検索入力欄ではなく、特定の地域の地図情報を参照可能に設定したい場合には、仮確定の段階で検索入力欄にて入力、検索を行い、目的の地図情報を取得する。そして、表示領域に地図情報が参照されたことを確認した後に、本確定を行うようにすることが好ましい。これにより、表示領域に地図情報などの個別内容情報が参照可能な状態で待受画面を構成できる。なお、これは本ポータルサイト型ＵＩの設定を説明するための便宜的な例であって、これらの例に限定拘束されるものではない。
一つの表示領域に機能が割り当てられると、他の表示領域についても同様の設定選択操作を行ってゆく。
これら一連の設定に必要な種々の各設定操作部ないしは選択操作部を総称して「第２の設定部」と称呼している。また、それらの制御機能を、編集制御部４１の待受画面表示内容設定条件設定制御部４４が有している。
【００６６】
なお、以上のような作業が面倒であると感じるユーザに対しては、各表示領域を特定のレイアウトにて形成し、しかも機能まで割り当て済みの複数のパターンモデルよりなる雛形ファイルを利用することもできる。この機能も、第２の設定部が有する。このようにして、設定された表示内容設定条件情報は、設定条件情報記憶部１５ａなどに記憶される。
【００６７】
編集制御部４１は、設定条件情報記憶部１５ａに記憶された設定データ（表示環境情報＜座標情報・高さ幅などのサイズ情報など＞、種類情報、個有内容情報識別情報など）を、待受制御部３１の例えば主ファイル部に書込む処理を行う。
この際、待受制御部３１にある元ファイルを上書きしてもよいし、元ファイルと異なる他のファイル名にて設定してもよい。
これによって、待受制御部３１を主ファイル部が待受画面としてモニタ１３上に、表示制御部３３によって表示制御されることにより、ポータルサイト型ＵＩが実現でき、モニタ１３上には、待受画面表示状態１３ｂが形成される。
【００６８】
以上のように、待受制御部３１内の主ファイル部を構成するポータルサイト型ＵＩは、例えばＦｌａｓｈやＸＭＬなどのスクリプト言語で記述をされており、関連する言語で記載されている内容を待受制御部３１内のスクリプト解釈部で解析を行い、記載されている内容に合わせて各アプリケーション機能部である符号２１〜符号２６の各制御部（マルチメディア制御部２１、電話帳制御部２２、エンタテイメント制御部２３、ブラウジング制御部２４、メーラ制御部２５、その他のアプリケーション制御部２６を含む）を利用して表示制御部３３を経由してモニタ１３に出力を行う。
【００６９】
待受制御部３１のアプリケーション情報取得部は、定期的に情報取得を行って、常時最新の情報が各表示領域に表示されるように制御する。
【００７０】
（待受画面の表示例について）
図２は、表示部に表示される待受画面の一例が開示されている。
ポータルサイト型ＵＩによる待受画面の第１の表示例では、画面１００は、好みの画像などの画像情報を表示する画像情報表示領域１０２と、前記画像情報表示領域１０２とほぼ隣接して形成されスケジュール管理機能の内容情報などを表示するスケジュール情報表示領域１０８と、ＮＥＷＳなどの情報をサーバなどからネットワークを介して取得して内容表示可能な（ユーザによる設定時に予め検索等により探索し閲覧可能として設定されている）第１の取得情報表示領域１０４ａと、同様にしてＮＥＷＳなどの情報を取得して内容表示可能であって、第１の取得情報表示領域１０４ａの下方に表示形成される第２の取得情報表示領域１０４ｂと、同様にしてＮＥＷＳなどの情報を取得して内容表示可能であって、第２の取得情報表示領域１０４ｂの下方に表示形成される第３の取得情報表示領域１０４ｃと、同様にしてＮＥＷＳなどの情報を取得して内容表示可能であって、第３の取得情報表示領域１０４ｃの下方に表示形成される第４の取得情報表示領域１０４ｄと、を含んで構成される。
これら各表示領域は、ユーザの設定に応じてカスタマイズ可能となっている。なお、これらの各取得表示領域は、本発明にいう「ブラウジング情報表示領域」に含めることができる。「ブラウジング情報表示領域」は、ブラウジング機能の保有する個別内容情報を表示する。
【００７１】
また、待受制御部３１によって生成される各表示領域、各表示領域の各個別内容情報、などはＲＡＭ１５内の各記憶領域に記憶されていてよく、記憶部には、画像情報を表示する画像情報表示領域の表示情報を記憶する画像情報記憶領域と、スケジュール管理機能の内容情報を表示するスケジュール情報表示領域の表示情報を記憶するスケジュール情報記憶領域と、複数の各取得情報表示領域の各表示情報を記憶する各取得情報記憶領域と、を含んで構成される。
【００７２】
このため、待受制御部３１（待受制御手段）は、画像情報を取得して前記待受画面上の前記画像情報表示領域に表示する制御を行う機能、スケジュール情報を取得して前記待受画面上の前記スケジュール情報表示領域に表示する制御を行う機能、前記ブラウジング機能の保有する個別内容情報を取得して、前記待受画面上の前記ブラウジング情報表示領域に表示する制御を行う機能、を含んで構成される。
【００７３】
ここで、図２に示すような待受ポータルサイト型ＵＩを設定したユーザは、ＮＥＷ（１）に好みのＮＥＷＳ（特定のサイトからキーワード検索を行うなどして情報表示を行い、定期的な時間周期で情報取得を行う）を設定しておく。
ユーザは、ポータルサイト型ＵＩに部分的に表示されている内容をみて必要な情報をニューロポインタ、やキーを選択して自動で拡大表示を行い情報の確認を行う。
なお、スケジュール情報表示領域１０８をニューロポインタなどの操作入力部により選択操作を行うことにより、スケジュールの書込なども可能となる。
【００７４】
（処理手順について）
（設定制御処理）  
次に、本発明の方法クレームをサポートするため、上述のような構成を有する通信装置の一例である携帯電話機における各種の処理手順について、図４乃至図５を参照しつつ説明する。図４は、本発明の第１の実施例による通信装置における処理手順の一例を示すフローチャートである。
【００７５】
先ず、携帯電話機１において、ユーザが好みのポータルサイト型ＵＩの待受画面を、モニタ１３を参照しながら操作入力部１１によって設定すると、ＣＰＵ（より広義にはコンピュータ、より詳細には設定変更制御部４０Ａ）は、好みのポータルサイトＵＩ（ユーザインターフェース）を設定する処理を行う（ステップＳ１０１）＜第１設定処理ステップないしは第１設定処理機能＞。
このステップでは、予め複数種類用意されたポータルサイト型ＵＩの定型フォーマットや雛形ファイルなどを選択して取得する。
なお、ユーザ自身が任意に表示領域等を生成して設定してもよいし、前記雛形ファイルなどをカスタマイズしてアレンジするようにしてもよい。
【００７６】
続いて、ユーザが必要とする情報取得設定や、アプリケーションやデータの設定を行うと、ＣＰＵ（より広義にはコンピュータ）は、必要な情報を設定する処理を行う（ステップＳ１０２）＜第２設定処理ステップないしは第２設定処理機能＞。
ここで、「必要な情報」とは、前に述べた表示環境設定条件や表示内容設定条件であり、より詳細には、例えば、ＮＥＷＳなどの定期的に情報取得するサイトの設定（情報取得設定）情報や、ＵＩとして利用するアプリケーション機能の種類を示す設定情報、各アプリケーション機能内の各項目＜個別内容情報識別情報＞（例えば電話帳における電話番号や相手の画像等）の設定情報などが挙げられる。
【００７７】
次に、ＣＰＵ（より広義にはコンピュータ）は、待受画面を参照して必要な操作に基づく設定操作入力処理を行う（ステップＳ１０３）＜操作入力処理ステップないしは操作入力処理機能＞。
このステップでは、各表示領域のサイズや配置位置、各表示領域の輪郭色、各表示領域内の背景色、全体の背景色、各表示領域内にて利用されるフォントのサイズやフォントの種類（ゴジック体や明朝体など）フォントの表示色などのレイアウトを設定してもよいし、各アプリケーションをためしに（仮に）利用してみて、前記サイズなどのレイアウトを微調整を行ってもよい。
【００７８】
さらに、ＣＰＵ（より広義にはコンピュータ）は、情報を変更するか否か判定する処理を行う（ステップＳ１０４）＜第１変更判定ステップないしは第１変更判定機能＞。
次いで、ＣＰＵ（より広義にはコンピュータ）は、ステップＳ１０４の第1変更判定ステップにて、情報が変更されたと判定された場合には、ステップＳ１０２に戻る。一方、ＣＰＵ（より広義にはコンピュータ）は、前記ステップＳ１０４の第１変更判定プロセスにて、情報が変更されていないと判定された場合には、ポータルサイトＵＩが変更されたか否かを判定する処理を行う（ステップＳ１０５）＜第２変更判定ステップないしは第２変更判定機能＞。
【００７９】
ステップＳ１０４では、情報の内容が変更されたかをチェックする。すなわち、ステップＳ１０３の操作入力によって、情報の内容が変更されたか（例えば当初は表示項目としてサイトＡの情報取得を行う設定をしていたが、サイトＢの情報取得に変更するする必要があるなど）否かをチェックする。
【００８０】
そして、ＣＰＵ（より広義にはコンピュータ）は、ステップＳ１０５の第２変更判定ステップにてポータルサイトＵＩが変更されたものと判定された場合には、ステップＳ１０１に戻る処理を行う。
【００８１】
さらに、ステップＳ１０５では、ポータルサイト型ＵＩの当初に設定された雛形ファイルなどを他の雛形ファイルに変更する必要がある操作がなされたか否か（あるいは雛形ファイルでなくとも他のレイアウト変更やアプリケーション変更を所望する操作がなされたか否か）をチェックする。すなわち、ステップＳ１０３の操作入力によって、レイアウトが変更されたか（例えば当初は表示領域としてＮＥＷＳの情報取得と電話帳の表示を行う設定をしていたが、全てＮＥＷＳの異なるサイトの情報取得の表示として設定変更する必要がある旨の操作など）否かをチェックする。
【００８２】
一方、ＣＰＵ（より広義にはコンピュータ）は、前記ステップＳ１０５の第２変更判定ステップにて、ポータルサイトＵＩが変更されていないと判定された場合には、待受画面として使用する処理を行う＜ステップＳ１０６＞（待受画面使用状態プロセスないしは待ち受け画面使用状態保持機能）。
【００８３】
このように、ユーザーが設定した待受画面を操作していき、設定した内容に変更する必要があればステップＳ１０２へ進み、ポータルサイト型ＵＩの待受画面を変更したくなった場合はステップＳ１０１へ進む。これにより、待受画面として便利にユーザーに利用してもらう。
【００８４】
なお、以上のステップＳ１０１〜ステップＳ１０５により、本発明にいう「設定変更制御ステップ」を構成できる。また、ステップＳ１０６は、本発明にいう「待受制御ステップ」に含まれる。
「待受制御ステップ」は、ＣＰＵ（コンピュータ）が、待受画面上の各表示領域の表示内容設定条件に基づいて前記アプリケーション機能の保有する個別内容情報を取得し、前記待受画面上の各表示領域の表示環境設定条件に基づいて前記待受画面上に各表示領域を生成し、各前記表示領域にいずれかの前記アプリケーション機能の前記個別内容情報を生成する制御を行う。
「設定変更制御ステップ」は、ＣＰＵ（コンピュータ）が、要求に基づいて、前記待受制御手段の前記表示内容設定条件及び前記表示環境設定条件のいづれか一方又は双方を設定変更制御する。
【００８５】
なお、「待受制御ステップ」は、前記表示領域が、画像情報を表示する画像情報表示領域を含む場合に、前記画像情報を取得して前記待受画面上の前記画像情報表示領域に表示する制御を行う第１表示領域生成ステップ、前記表示領域が、スケジュール管理機能の内容情報を表示するスケジュール情報表示領域を含む場合に、前記スケジュール情報を取得して前記待受画面上の前記スケジュール情報表示領域に表示する制御を行う第２表示領域生成ステップ、前記表示領域が、マルチメディア機能の保有する個別内容情報を表示するマルチメディア情報表示領域を含む場合に、前記マルチメディア機能の保有する個別内容情報を取得して、前記待受画面上の前記マルチメディア表示領域に表示する制御を行う第３表示領域生成ステップ、前記表示領域が、電話帳機能の保有する個別内容情報を表示する電話帳情報表示領域を含む場合に、前記電話帳機能の保有する個別内容情報を取得して、前記待受画面上の前記電話帳表示領域に表示する制御を行う第４表示領域生成ステップ、前記表示領域が、エンタテイメント機能の保有する個別内容情報を表示するエンタテイメント情報表示領域を含む場合に、前記エンタテイメント機能の保有する個別内容情報を取得して、前記待受画面上の前記エンタテイメント情報表示領域に表示する制御を行う第５表示領域生成ステップ、前記表示領域が、ブラウジング機能の保有する個別内容情報を表示するブラウジング情報表示領域を含む場合に、前記ブラウジング機能の保有する個別内容情報を取得して、前記待受画面上の前記ブラウジング情報表示領域に表示する制御を行う第６表示領域生成ステップ、前記表示領域が、電子メール機能の保有する個別内容情報を表示する電子メール情報表示領域を含む場合に、前記電子メール機能の保有する個別内容情報を取得して、前記電子メール情報表示領域に表示する制御を行う第７表示領域生成ステップ、を含んでよい。
【００８６】
（表示制御処理）
次に、ユーザにより各種設定がなされた後に、ポータルサイト型ＵＩとして機能するための表示制御処理の詳細について、図５を参照しつつ説明する。
【００８７】
ステップＳ１０６にて設定処理が完了すると、待受画面がポータルサイト型ＵＩとして機能することになるが、この機能が動作している状態において、図４に示すＸ１の処理を行うことが好ましい。
この処理Ｘ１は、具体的には、図５に示すように、先ず、複数の各表示領域のうち、特定の一つの表示領域が、操作入力部１１のニューロポインタ等により選択されたか否かを判定する処理を行う（ステップＳ１１１）＜特定表示領域選択可否判定処理ステップないしは特定表示領域選択可否判定処理機能＞。
【００８８】
このステップＳ１１１の特定表示領域選択可否判定処理ステップにて、特定の表示領域が選択されていないものと判定された場合には、図４のステップＳ１０６に戻る。一方、前記ステップＳ１１１の特定表示領域選択可否判定処理ステップにて、特定の表示領域が選択されたものと判定された場合には、図５のステップＳ１１２に進む。
すなわち、選択された表示領域を拡大表示する処理を行う（ステップＳ１１２）＜表示領域拡大処理ステップないしは表示領域拡大処理機能＞。
【００８９】
この拡大処理としては、例えば、図３に示すように、拡大対象表示領域を拡大する際に、他の各表示領域との干渉を無視する形式（他の各表示領域と重なり合ってよい）、図６に示すように、全画面に亘って拡大する形式、図７に示すように、同じアプリケーションの種類の中で複数の個別内容情報が設定されている場合に一の個別内容情報の表示領域の拡大を、他の個別内容情報の表示領域を犠牲にするが、他のアプリケーションの表示領域とは重ならないようにする形式、図８に示すように、拡大対象表示領域を拡大する際に、他の表示領域と重なり合わないように、他の各表示領域を前記拡大対象表示領域の拡大処理と連動して各々縮小処理を行う形式、などが挙げられる。
【００９０】
これによって、ユーザは、選択した表示領域を見やすい表示とすることができる。勿論、表示領域の拡大度は、予め決まった複数の拡大パターンの中から選択する形式でもよいし、操作入力部の操作量と連動して拡大するような形式であってもよい（操作量連動拡大度制御部）。
【００９１】
次に、特定期間、操作入力があるか否かを判定する処理を行う（ステップＳ１１３）＜操作入力有無判定ステップないしは操作入力有無判定機能＞。このステップＳ１１３の操作入力有無判定ステップにて、操作入力があるものと判定された場合には、ステップＳ１１２に戻る処理を行う。一方、前記ステップＳ１１３の操作入力有無判定ステップにて、操作入力がないものと判定された場合には、ステップＳ１１４に進む。
すなわち、ステップＳ１１４にて、拡大された表示領域を、元の大きさの表示領域に戻す処理を行う（拡大表示領域縮小処理ステップないしは拡大表示領域縮小機能）。
このような処理により、表示領域が選択期間中（選択されている間）には、拡大表示領域にて情報閲覧可能となり、表示領域が非選択期間中には、拡大表示領域は、元の表示領域のサイズに戻ることになる。これによって、ユーザは、自身の選択によって閲覧上好ましいサイズに拡大された領域を、閲覧終了後に、再度縮小する選択操作など（他の表示領域のサイズ修正変更など）を行うことなく、元のレイアウトに戻すことができる。
【００９２】
なお、以上のステップＳ１１１〜ステップＳ１１４により、本発明にいう「設定変更制御ステップ」を構成できる。この「設定変更制御ステップ」の他の態様では、（複数の各表示領域のうちいずれか一つの表示領域を表示選択する表示領域選択操作手段にて選択された操作指示）要求に基づいて、複数の各表示領域のうち選択されたいずれか一つの表示領域を他の表示領域より拡大して表示するように、前記設定条件を変更制御する。
【００９３】
さらに、以上の例では、ニューロポインタ等により、選択した表示領域を拡大する例を説明したが、ニューロポインタによって表示領域内の内容情報をスクロール（例えば３６０度全方向スクロール＜上下方向・左右方向・斜めのあらゆる方向を含む＞）して表示することもできる。このような、ニューロポインタによる限られた表示領域内での内容情報のスクロール処理機能に加えて、前述の拡大表示を行う機能によって、より見やすい環境を提供できる。
すなわち、「設定変更制御ステップ」の他の態様では、複数の各表示領域のうちいずれか一つの表示領域を表示選択する表示領域選択操作手段にて選択された操作指示）要求に基づいて、複数の各表示領域のうち選択されたいずれか一つの表示領域内の内容情報をスクロール可能に表示制御するように、前記設定条件を変更制御する。
【００９４】
以上のように本実施例によれば、待受制御部が、待受画面上の各表示領域に各アプリケーション機能の各個別内容情報を表示生成することで、通信装置の多機能・多情報を簡単かつ効率的な画面デザインにて提供し、設定変更制御部が待受制御手段の設定条件を設定変更制御することで、ユーザニーズに合わせたカスタマイズ設定を待受画面に反映させることができる。このため、ユーザー側で表示内容設定条件、表示環境設定条件を変更（カスタマイズ）する事により、ユーザは通信装置を便利かつ快適に使用できる。
また、アイコンなどによりアプリケーション機能を起動させるというプロセスを踏む（手間をかける）ことなく、内容情報を閲覧することができつつ、ユーザニーズに応じたアプリケーション機能の種類、内容情報の種類を適宜カスタマイズ設定することができる。
【００９５】
さらに、複数の各アプリケーション機能の個別内容情報を待受画面に表示可能とし、待受画面では各アプリケーション機能が機能している状態（メニュー等による操作を行って階層をたどることなく、或いは、アイコン等を選択指定してアプリケーションを起動させる操作を行うことなく、既に起動して各アプリケーションが即利用可能となっている状態）を実現する。すなわち、待受画面上から各アプリケーション機能の個別内容情報が閲覧可能であって、その個別内容情報表示領域より各アプリケーション機能が利用可能である。このため、異なるアプリケーションが各々独立して表示され、かつ、機能の各項目が直ちに利用でき、画面デザインから操作可能となっているため、ユーザの利便性が向上する。
【００９６】
なお、同じアプリケーションの機能を複数利用することもできる。例えば、複数のブラウジング機能を同時に利用することもできるし、複数のマルチメディア機能を同時に利用することもできるし、複数の電話帳機能を同時に利用することもできし、これらの組み合わせを構成することもできる。
【００９７】
［第２の実施例］
次に、本発明にかかる第２の実施例について、図９に基づいて説明する。なお、以下には、前記第１の実施例の実質的に同様の構成ないしは処理手順に関しては説明を省略し、異なる部分についてのみ述べる。図９は、本発明の通信装置の第２の実施例の一例を示すブロック図である。
【００９８】
上述の第１の実施例では、待受画面の各表示領域の表示環境設定条件や表示内容設定条件をユーザがカスタマイズ設定可能な第１機能を有する場合の例について説明したが、本実施例では、待受画面の各表示領域の設定条件が、装置内の利用状況に応じて自動的に変更される第２機能を有する通信装置の場合を示している。
【００９９】
具体的には、通信装置の一例である携帯電話機２００のハードウエア構成は、図９に示すように、上述の第１の実施例と同様の構成である、操作入力部１１と、モニタ１３と、電源処理部１４と、ＲＡＭ１５と、ＲＯＭ１６と、通信部１７と、ＣＰＵ１８と、を含んで構成される。
【０１００】
この際、本実施例では、ＲＡＭ１５のデータ記憶領域に、設定条件情報記憶部１５ａの他、第１利用状況情報の一例である第１利用頻度情報を記憶した第１利用頻度情報記憶部１５ｂと、第２利用状況情報の一例である第２利用頻度情報第２利用頻度情報記憶部１５ｃと、を構成している。
【０１０１】
また、操作入力部１１に、ポータルサイト型ＵＩを選択して初期設定する選択設定部１１ｃを構成している。選択設定部１１ｃは、ポータルサイト型ＵＩの待受画面の雛形となる複数の基本パターンの雛形ファイルの中から特定のパターンの雛形ファイルを選択設定する機能を有する。少なくとも選択設定部を有していればよいのは、初期設定さえ行っていれば、後は、利用頻度による設定条件の自動変更制御が行われるからである。なお、本携帯電話機１においては、ポータルサイト型ＵＩの待受画面からの直接のアプリケーション機能の利用の他、通常のメニューからメニュー階層を通じ選択してアプリケーション機能を利用することもできる。このため、ユーザの利用頻度に応じて、ポータルサイト型ＵＩの待受画面に、新たに必要な機能が自動生成されたり、不必要な機能が自動削除されたりすることが可能である。
【０１０２】
なお、利用状況情報は、装置購入時からの利用状況情報の総計としてもよいし、単位時間当たりの利用状況情報をカウントしてもよい。さらに、所定期間経過後に利用がないと判定された場合に、利用状況情報に関するログ情報を消去するようにしてもよい。
【０１０３】
第１利用頻度情報記憶部１５ｂは、アプリケーション機能の利用頻度情報である第１利用頻度情報と、アプリケーション機能の種類を示す種類情報（表示内容設定条件）との対応関係を定義した第１利用頻度―表示内容設定条件相関テーブルを含む。また、第１利用頻度情報記憶部１５ｂは、第１利用頻度の高いものから順番に（例えば１、２、３、・・等）の符号を割り当てた第１優先度情報と、表示環境設定条件との対応関係を定義した第１優先度―表示環境設定条件テーブルを含む。
【０１０４】
第２利用頻度情報記憶部１５ｃは、アプリケーション機能の保有する個別内容情報の利用頻度情報である第２利用頻度情報と、前記個別内容情報を識別する個別内容情報識別情報（表示内容設定条件）との対応関係を定義した第２利用頻度―表示内容設定条件相関テーブルを含む。また、第２利用頻度情報記憶部１５ｃは、第２利用頻度の高いものから順番に（例えば１、２、３、・・等）の符号を割り当てた第２優先度情報と、表示環境設定条件との対応関係を定義した優先度―表示環境設定条件テーブルを含む。
【０１０５】
なお、アプリケーション機能を利用した際には、例えば電話機能を利用したことを示す第１利用頻度情報、特定の相手に対する通話に利用したことを示す第２利用頻度情報などがカウントされ、記憶される。
【０１０６】
また、携帯電話機２００のソフトウエア構成は、図９に示すように、上述の第１の実施例と同様の構成である、マルチメディア制御部２１と、電話帳制御部２２と、エンタテイメント制御部２３と、ブラウジング制御部２４と、メーラ制御部２５と、その他のアプリケーション制御部２６と、待受制御部３１と、表示制御部３３とを含む構成に加え、本実施例の特徴的構成である第１変更制御部４６と、第２変更制御部４７と、待受画面設定制御部４３と、を含んで構成される。なお、第１変更制御部４６、第２変更制御部４７、待受画面設定制御部４３により「設定変更制御部」４０Ｂを構成している。
【０１０７】
第１変更制御部４６は、各アプリケーション制御部の第１利用頻度情報を取得して、ＲＡＭ１５の第１利用頻度情報記憶部１５ｂに第１利用頻度情報を（アプリケーション機能の種類を示す）種類情報と対応づけて記憶する処理を行う。また、第１変更制御部３６は、第１利用頻度情報記憶部１５ｂに記憶された複数の第１利用頻度情報を分析する処理を行う（第１利用頻度情報分析手段）。ここにいう「分析処理」は、例えば、複数の第１利用頻度情報の中から利用頻度数の多い種類情報を順に抽出（検索）し、予め決められた表示項目数情報「２（例えば利用頻度数の多い上位２つの種類情報）」までの情報に絞り込む（取捨選択する）。これにより、利用頻度数の多い上位２つの種類のアプリケーション機能が、表示環境（例えば、配置位置、サイズ、表示領域輪郭色など）の変更対象となる。前記「表示項目数情報」は、図１０に示すように、電話帳とメーラのようにアプリケーション機能の種類が２つの場合には、原則「２」と自動設定され、図１１に示すように、スケジュール、ｉモード、カメラ、ＮＥＷＳなどのようにアプリケーション機能の種類が４つの場合には、原則「４」と自動設定される。
【０１０８】
なお、表示項目数情報は、ユーザにより適宜設定可能に構成してもよい（表示項目数情報設定手段、これを制御する表示項目数情報設定制御手段）。
また、表示項目数情報と表示環境設定条件とを対応づけたテーブルを、第１利用頻度情報記憶部１５ｂに含んで構成してよい。
【０１０９】
さらに、第１変更制御部４６は、「分析処理」によって変更対象が決定されると、表示環境をどのように変更するかを決定する処理を行う（表示環境種類決定手段）。
具体的には、第１変更制御部４６は、利用頻度数の多い順に優先度情報を割当てる（第１優先度情報割当機能）。例えば、最も利用頻度の高い電話帳機能に第１優先度「１」、次に、利用頻度の高いメーラ機能に第１優先度「２」を割当てる。ここで、第１利用頻度情報記憶部１５ｂの第１優先度―表示環境設定条件テーブルには、例えば、予め第１優先度が「１」の機能には、表示環境として例えば待受画面の上部に表示領域を第１のサイズ領域にて形成するよう定義され、予め第１優先度が「２」の機能には、表示環境として例えば待受画面の下部に表示領域を第２のサイズ領域にて形成するよう定義されているものとする。すると、第１変更制御部４６は、第１利用頻度情報記憶部１５ｂの第１優先度―表示環境設定条件テーブルを参照することによって、第１優先度に対応する表示環境設定条件を取得する。
【０１１０】
なお、この処理（表示環境種類決定手段）において、表示環境を変更するパターンとしては、例えば、利用頻度数の多い種類のアプリケーション機能を、表示画面の上部領域から順に下部領域に向けて配置位置を変更する（配列を並べ替える）表示環境第１変更パターン、利用頻度数の多い種類のアプリケーション機能を、最多の種類の表示領域を最大サイズとし、次に多い種類の表示領域を最大サイズより小さいサイズとし、順次サイズを小さくする（利用頻度数が多くなるに従い表示領域のサイズを大きくする：利用頻度数が少なくなるに従い表示領域のサイズを小さくする）表示環境第２変更パターン、利用頻度数が多くなるに従い表示領域輪郭線を太くしたり表示領域輪郭色を薄い色から濃度の濃い色にしたりする表示環境第３変更パターン、さらにはこれらの各パターンの組み合わせによるパターンのいずれであってもよい。
これらの各パターンは、予めいずれかのパターンに決めた処理を行ってもよいし、ユーザにより設定可能に構成してもよい（表示環境変更パターン設定手段、これを制御する表示環境変更パターン設定制御手段）。
【０１１１】
第２変更制御部４７は、各アプリケーション制御部の第２利用頻度情報を取得して、ＲＡＭ１５の第２利用頻度情報記憶部１５ｃに第２利用頻度情報を（アプリケーション機能の保有する個別内容情報を識別する個別内容情報識別情報を示す）種類情報と対応づけて記憶する処理を行う。また、第２変更制御部３７は、第２利用頻度情報記憶部１５ｃに記憶された複数の第２利用頻度情報を分析する処理を行う（第２利用頻度情報分析手段）。ここにいう「分析処理」は、例えば、複数の第２利用頻度情報の中から利用頻度数の多い種類情報を順に抽出（検索）し、予め決められた表示項目数情報「２（例えば利用頻度数の多い上位２つの個別内容情報識別情報）」までの情報に絞り込む（取捨選択する）。これにより、利用頻度数の多い上位２つの個別内容情報が、表示環境（例えば、配置位置、サイズ、表示領域輪郭色など）の変更対象となる。前記「表示項目数情報」は、図１０に示すように、電話帳に２つの個別内容情報（電話番号）が表示される設定の場合には、原則「２」と自動設定される。また、他のアプリケーションであるメーラに２つの個別内容情報（メールアドレス）が設定される場合には、原則「２」と自動設定される。これらは、ユーザがカスタマイズ設定した時点で、少なくとも一つのアプリケーション機能について、同一アプリケーション機能に複数の個別内容情報が設定された場合には、その個別内容情報の数が「表示項目数情報」として設定される。他のアプリケーション機能についても、同様に設定される。
【０１１２】
さらに、第２変更制御部４７は、「分析処理」によって変更対象が決定されると、表示環境をどのように変更するかを決定する処理を行う（表示環境種類決定手段）。
具体的には、第２変更制御部４７は、利用頻度数の多い順に優先度情報を割当てる（第２優先度情報割当機能）。例えば、最も利用頻度の高い電話帳機能の電話番号Ａに第２優先度「１」、次に、利用頻度の高い電話帳機能の電話番号Ｂに第２優先度「２」を割当てる。ここで、第２利用頻度情報記憶部１５ｃの第２優先度―表示環境設定条件テーブルには、例えば、予め第２優先度が「１」の項目には、表示環境として例えば複数の同一機能表示領域のうち最上部の同一機能表示領域にて内容情報を生成するよう定義され、予め第２優先度が「２」の項目には、表示環境として例えば複数の同一機能表示領域のうち最上部の次の段の同一機能表示領域にて内容情報を生成するよう定義されているものとする。すると、第２変更制御部４７は、第２利用頻度情報記憶部１５ｃの第２優先度―表示環境設定条件テーブルを参照することによって、第２優先度に対応する表示環境設定条件を取得する。
【０１１３】
なお、この処理（表示環境種類決定手段）において、表示環境を変更するパターンとしては、例えば、利用頻度数の多い個別内容情報を、表示画面の上部領域から順に下部領域に向けて配置位置を変更する（配列を並べ替える）表示環境第１変更パターン、利用頻度数の多い個別内容情報を、最多の個別内容情報の表示領域を最大サイズとし、次に多い個別内容情報の表示領域を最大サイズより小さいサイズとし、順次サイズを小さくする（利用頻度数が多くなるに従い表示領域のサイズを大きくする：利用頻度数が少なくなるに従い表示領域のサイズを小さくする）表示環境第２変更パターン、利用頻度数が多くなるに従い表示領域輪郭線を太くしたり表示領域輪郭色を薄い色から濃度の濃い色にしたりする表示環境第３変更パターン、さらにはこれらの各パターンの組み合わせによるパターンのいずれであってもよい。
これらの各パターンは、予めいずれかのパターンに決めた処理を行ってもよいし、ユーザにより設定可能に構成してもよい（表示環境変更パターン設定手段、これを制御する表示環境変更パターン設定制御手段）。
【０１１４】
待受画面設定制御部４３は、ポータルサイト型ＵＩ待受画面の雛形となる複数の基本パターンの雛形ファイルの中から、選択設定部１１ｃにて選択設定された特定のパターンの雛形ファイルに対応する設定条件を、待受制御部３１に設定制御する機能を有する。すなわち、待受画面設定制御部４３は、初期設定の制御に利用される。その後は、第１変更制御部４６及び第２変更制御部４７により利用頻度に応じて設定条件が順次変更されていく。
【０１１５】
上述のような構成を有する携帯電話機１のソフトウエア構成において、概略次のように動作する。すなわち、先ず、待受画面設定制御部４３は、ポータルサイト型ＵＩ待受画面の雛形となる複数の基本パターンの雛形ファイルの中から、選択設定部１１ｃにて選択設定された特定のパターンの雛形ファイルに対応する設定条件を、待受制御部３１に設定制御する。
【０１１６】
その後、初期設定がなされると、第１変更制御部４６及び第２変更制御部４７により利用頻度に応じて設定条件が順次変更されていく。
第１変更制御部４６は、アプリケーション機能の利用頻度情報である第１利用頻度情報を取得して、第１利用頻度情報を分析し、分析結果に基づいて、表示環境設定条件の変更制御を行う。
第２変更制御部４７は、アプリケーション機能の保有する個別内容情報の利用頻度情報である第２利用頻度情報を取得して、第２利用頻度情報を分析し、分析結果に基づいて、表示内容設定条件の変更制御を行う。
【０１１７】
具体的には、例えば図１０では、頻繁に電話帳やメールアドレス表示を行う設定にしておき、利用頻度のログを例えば電話帳制御部２２内又は専用の記憶部にてカウントをしておき使用頻度に合わせて自動で表示を行うように制御をする。
また、表示内容について設定せず、図１１で示すように、ユーザ操作の利用頻度のログを確認して、ユーザの利用頻度の高い機能を、ポータルサイト型ＵＩに表示させる制御を行う。これにより、ユーザの利便性の向上を図ることができる。
【０１１８】
（第１の待受画面の表示例について）
図１０は、表示部に表示される待受画面の一例が開示されている。
ポータルサイト型ＵＩによる待受画面の一表示例では、画面３００は、好みの画像などの画像情報を表示する画像情報表示領域３０２と、電話番号や名前などを表示され選択操作することで当該電話番号にて発信開始可能な第１の電話帳表示領域３０４ａと、同様にして電話番号や名前などを表示し前記第１の電話帳表示領域３０４ａの下欄に表示形成される第２の電話帳表示領域３０４ｂと、メールアドレスや名前などを表示し当該メールアドレス宛に送るメール作成可能な状態（ないしは相手先からのメール内容表示状態）とした第１のメール表示領域３０６ａと、同様にしてメールアドレスや名前などを表示し、当該メールアドレス宛に送るメール作成可能な状態（ないしは相手先からのメール内容表示状態）とし、前記第１のメール表示領域３０６ａの下欄に表示形成される第２のメール表示領域３０６ｂと、前記第１の電話帳表示領域３０４ａの電話番号に対応する相手先の画像などを表示する第１の相手画像表示領域３０８ａと、前記第２の電話帳表示領域３０４ｂの電話番号に対応する相手先の画像などを表示する第２の相手画像表示領域３０８ｂと、前記第１のメール表示領域３０６ａのメールアドレスに対応する相手先の画像などを表示する第３の相手画像表示領域３０８ｃと、前記第２のメール表示領域３０６ｂのメールアドレスに対応する相手先の画像などを表示する第４の相手画像表示領域３０８ｄと、を含んで構成される。
【０１１９】
これら各表示領域は、利用頻度に応じて配置位置が自動変更される。なお、第１の電話帳表示領域３０４ａ、第２の電話帳表示領域３０４ｂ、第１の相手画像表示領域３０８ａ、第２の相手画像表示領域３０８ｂは、それぞれ、本発明にいう「電話帳情報表示領域」に相当する。「電話帳情報表示領域」は、電話帳機能の保有する個別内容情報を表示する。また、第１のメール表示領域３０６ａ、第２のメール表示領域３０６ｂ、第３の相手画像表示領域３０８ｃ、第４の相手画像表示領域３０８ｄは、それぞれ、本発明にいう「電子メール情報表示領域」に相当する。「電子メール情報表示領域」は、電子メール機能の保有する個別内容情報を表示する。
【０１２０】
また、待受制御部３１によって生成される各表示領域、各表示領域の各個別内容情報、などはＲＡＭ１５内の各記憶領域に記憶されていてよく、記憶部には、画像情報記憶領域と、電話帳機能の保有する個別内容情報を表示する電話帳情報表示領域の表示情報を記憶する電話帳情報記憶領域と、電子メール機能の保有する個別内容情報を表示する電子メール情報表示領域の表示情報を記憶する電子メール情報記憶領域と、を含んで構成される。
【０１２１】
このため、待受制御部３１（待受制御手段）は、画像情報を取得して前記待受画面上の前記画像情報表示領域に表示する制御を行う機能、前記電話帳機能の保有する個別内容情報を取得して前記待受画面上の前記電話帳表示領域に表示する制御を行う機能、前記電子メール機能の保有する個別内容情報を取得して前記電子メール情報表示領域に表示する制御を行う機能、を含んで構成される。
【０１２２】
（第２の待受画面の表示例について）
図１１は、表示部に表示される待受画面の一例が開示されている。
ポータルサイト型ＵＩによる待受画面の他の表示例では、画面３１０は、好みの画像などの画像情報を表示する画像情報表示領域３１２と、前記画像情報表示領域３１２とほぼ隣接して形成されスケージュールなどを表示するスケジュール表示領域３１８と、ｉモードなどが閲覧可能として表示されたブラウジング表示領域３１４と、ＣＣＤ（画像取得部）などを含むカメラ機能などが起動されて動画像が表示される領域を構成したカメラ画像表示領域３１５と、ＮＥＷＳなどの情報を取得して内容表示された第１の取得情報表示領域３１６ａと、同様にしてＮＥＷＳなどの情報を取得して内容表示され、第１の取得情報表示領域３１６ａの下方に表示形成される第２の取得情報表示領域３１６ｂと、を含んで構成される。  
これら各表示領域は、利用頻度に応じて配置位置が自動変更される。なお、カメラ画像表示領域３１５は、本発明にいう「マルチメディア情報表示領域」に含まれる。「マルチメディア情報表示領域」は、マルチメディア機能の保有する個別内容情報を表示する。
【０１２３】
また、待受制御部３１によって生成される各表示領域、各表示領域の各個別内容情報、などはＲＡＭ１５内の各記憶領域に記憶されていてよく、記憶部には、画像情報記憶領域と、スケジール情報記憶領域と、ブラウジング情報記憶領域と、カメラ画像記憶領域（マルチメディア情報記憶領域）と、各取得情報記憶領域と、を含んで構成される。
【０１２４】
このため、待受制御部３１（待受制御手段）は、画像情報を取得して前記待受画面上の前記画像情報表示領域に表示する制御を行う機能、スケジュール情報を取得して前記待受画面上の前記スケジュール情報表示領域に表示する制御を行う機能、前記ブラウジング機能の保有する個別内容情報を取得して前記待受画面上の前記ブラウジング情報表示領域に表示する制御を行う機能、前記マルチメディア機能の保有する個別内容情報を取得して前記待受画面上の前記マルチメディア表示領域に表示する制御を行う機能、を含んで構成される。  
【０１２５】
（第３の待受画面の表示例について）
図１２は、表示部に表示される待受画面の一例が開示されている。図１２では、前記第１の実施例と同様のレイアウト構成の待受画面上の各表示領域のうち、ＮＥＷＳなど他の通信装置（例えばサーバ等）とネットワークを介して（携帯電話機の通信部を介して）取得される情報を表示する取得情報表示領域が、利用頻度に応じて各表示領域の配列順序や各表示領域のサイズなどが自動変更された場合の例を開示している。
【０１２６】
具体的には、図２と対比して説明すると、図２では、各取得情報表示領域の配列順序が「ＮＥＷＳ（１）」、「ＮＥＷＳ（２）」、「ＮＥＷＳ（３）」、「ＮＥＷＳ（４）」の順になっているが、図１２では、「ＮＥＷＳ（４）」の取得情報表示領域３２４ａ、「ＮＥＷＳ（２）」の取得情報表示領域３２４ｂ、「ＮＥＷＳ（３）」の取得情報表示領域３２４ｃ、の順に表示形成されている。
これは、利用頻度の最も多いものから順に、「ＮＥＷＳ（４）」、「ＮＥＷＳ（２）」、「ＮＥＷＳ（３）」となっており、利用頻度に応じた自動変更制御によって、自動的に配列順序が変更されたことを意味する。
【０１２７】
また、図２では、各取得情報表示領域のサイズが等しく表示形成されているが、図１２では、「ＮＥＷＳ（４）」の取得情報表示領域３２４ａのサイズ領域が最も大きく、次に、「ＮＥＷＳ（２）」の取得情報表示領域３２４ｂのサイズ領域が大きく、「ＮＥＷＳ（３）」の取得情報表示領域３２４ｃのサイズ領域は最も小さい。
これは、利用頻度の最も多いものから順に、「ＮＥＷＳ（４）」、「ＮＥＷＳ（２）」、「ＮＥＷＳ（３）」となっており、利用頻度に応じた自動変更制御によって、自動的に表示領域のサイズ領域が変更されたことを意味する。
【０１２８】
なお、図２の「ＮＥＷＳ（１）」は、「ＮＥＷＳ（３）」より利用頻度が少ないか、設定したものの全く利用されなかったために、変更制御部は、画面上に表示しない制御を行う。さらに、変更制御部は、図１２の各取得情報表示領域のサイズ領域は、利用頻度の比率を反映してサイズ決定する制御を行うようにしてもよい。
【０１２９】
（処理手順について）
次に、携帯電話機１の表示制御処理において、利用頻度に応じて自動表示する場合の処理について、図１３を参照しつつ説明する。図１３は、本実施例による通信装置の表示制御時における処理手順の一例を示すフローチャートである。
【０１３０】
先ず、図１３に示すように、ＣＰＵ（より広義にはコンピュータ、より詳細には設定変更制御部）は、ポータルサイト型ＵＩ（待受制御部）に設定されている表示内容設定条件（アプリケーション機能の種類を示す種類情報、アプリケーション機能の保有する個別内容情報を識別する個別内容情報識別情報など）、表示環境設定条件（各表示領域の配置位置、領域サイズなど）を取得する処理を行う（ステップＳ１２１）＜設定条件情報取得処理ステップないしは設定条件情報取得処理機能＞。
【０１３１】
次に、ＣＰＵ（より広義にはコンピュータ、より詳細には設定変更制御部）は、アプリケーション機能別の第１利用頻度情報、アプリケーション内の項目別（情報取得の場合項目別）の第２利用頻度情報を取得する処理を行う（ステップＳ１２２）＜第１利用頻度情報取得処理ステップないしは第１利用頻度情報取得機能、及び第２利用頻度情報取得ステップないしは第２利用頻度情報取得機能＞。
【０１３２】
そして、ＣＰＵ（より広義にはコンピュータ、より詳細には設定変更制御部）は、第１利用頻度情報を分析する処理を行う（ステップＳ１２３）＜第１利用頻度情報分析ステップないしは第１利用頻度情報分析機能＞。
例えば、図１０の例では、電話帳制御部である一方のアプリケーション機能の一方の第１利用頻度情報と、メーラ制御部である他方のアプリケーション機能の他方の第１利用頻度情報とを比較して利用頻度の高い（カウンターの数値が大きい）順番を決定する。
また、順番に応じていかなる変更を行うか（例えば、利用頻度の高いものから順に待受画面の一端部領域から他端部領域に向かうに方向に各表示領域を配列しなおす、など）、表示内容、表示環境の変更手法を決定する。
【０１３３】
続いて、ＣＰＵ（より広義にはコンピュータ、より詳細には設定変更制御部）は、第２利用頻度情報を分析する処理を行う（ステップＳ１２４）＜第２利用頻度情報分析ステップないしは第２利用頻度情報分析機能＞。
【０１３４】
さらに、ＣＰＵ（より広義にはコンピュータ、より詳細には設定変更制御部）は、第１利用頻度情報の分析結果に基づいて、利用頻度の高いアプリケーション機能を表示するようレイアウト（配置位置、サイズなど）変更する処理を行う。すなわち、第１利用頻度情報の分析結果に基づいて、表示環境設定条件を変更制御する（ステップＳ１２５）＜表示環境設定条件変更制御ステップないしは表示環境設定条件変更制御機能＞。
【０１３５】
加えて、ＣＰＵ（より広義にはコンピュータ、より詳細には設定変更制御部）は、第２利用頻度情報の分析結果に基づいて、ポータルサイト型ＵＩの各表示領域（項目）に表示すべき内容情報を利用頻度の高いものから取捨選択する処理を行う。すなわち、第２利用頻度情報の分析結果に基づいて、表示内容設定条件を変更制御する（ステップＳ１２６）＜表示内容設定条件変更制御ステップないしは表示内容設定条件変更制御機能＞。
例えば、図１０の例では、一つのアプリケーション機能である電話帳制御部が保有する一方の電話番号情報などの一方の個別内容情報の一方の第２利用頻度情報と、同じく電話帳制御部が保有する他方の電話番号情報などの他方の個別内容情報の他方の第２利用頻度情報とを比較して利用頻度の高い（カウンターの数値が大きい）順番を決定する。
また、順番に応じていかなる変更を行うか（例えば、利用頻度の高いものから順に待受画面の一端部領域から他端部領域に向かうに方向に各表示内容を配列しなおす、など）、表示内容、表示環境の変更手法を決定する。
【０１３６】
なお、以上のステップＳ１２１〜ステップＳ１２６により、本発明にいう「設定変更制御ステップ」を構成できる。この「設定変更制御ステップ」では、前記複数のアプリケーション機能の利用状況である第１利用状況情報に基づいて、前記待受制御ステップの前記表示内容設定条件を変更制御することができる。また、設定変更制御ステップでは、アプリケーション機能の前記個別内容情報毎の利用状況を分析した第２利用状況情報に基づいて、前記待受制御ステップの前記表示内容設定条件を変更制御することができる。さらに、設定変更制御ステップでは、前記複数のアプリケーション機能の利用状況である第１利用状況情報に基づいて、前記待受制御ステップの前記表示環境設定条件を変更制御することができる。加えて、設定変更制御ステップでは、アプリケーション機能の前記個別内容情報毎の利用状況である第２利用状況情報に基づいて、前記待受制御ステップの前記表示環境設定条件を変更制御することができる。
【０１３７】
続いて、ＣＰＵ（より広義にはコンピュータ、より詳細には待受制御部）は、選択された内容情報を各表示領域（項目）に表示する処理を行う（ステップＳ１２７）＜内容情報表示処理ステップないしは内容情報表示処理機能＞。なお、このステップＳ１２７は、本発明にいう「待受制御ステップ」に含まれる。
【０１３８】
そして、ＣＰＵ（より広義にはコンピュータ）は、これらの各処理の終了後に、携帯電話機の機能を利用したか否かを判定する処理を行う（ステップＳ１２８）＜機能利用可否判定処理ステップないしは機能利用可否判定処理機能＞。このステップＳ１２８の機能利用可否判定処理ステップにて、携帯電話機の何らかの機能を利用しないものと（あるいは操作指示が行われないものと）判定された場合には、処理を終了する。
【０１３９】
一方、ＣＰＵ（より広義にはコンピュータ）は、前記ステップＳ１２８の機能利用可否判定処理ステップにて、携帯電話機の何らかの機能を利用したものと（或いは操作指示が行われたものと）判定された場合には、ステップ１２９を処理し、ステップＳ１２１に戻る処理を行う。
すなわち、ステップＳ１２９では、アプリケーション機能毎に利用頻度ログ（第１利用頻度情報）をカウンター（第１計数部）によりカウントする処理を行い、さらには、個別内容情報毎に利用頻度ログ（第２利用頻度情報）をカウンター（第２計数部）によりカウントする処理を行う（第１利用頻度情報計数処理ステップないしは第１利用頻度情報計数処理機能、及び第２利用頻度情報計数処理ステップないしは第２利用頻度情報計数処理機能）。
【０１４０】
なお、第２計数部は、各アプリケーション制御部を構成する符号２１ないし符号２６の内部に各々設ける構成としてもよい。この際、第２利用頻度情報は、各アプリケーション制御部を構成する符号２１ないし符号２６の内部に各々蓄積処理する構成としてもよいし、ＲＡＭ内の特定の記憶領域に専用のデータベースとして蓄積処理する構成としてもよい。
【０１４１】
以上のように本実施例によれば、利用頻度に応じて表示環境が自動的に変更されるので、ユーザの利便性が向上する。
さらには、利用頻度に応じて自動的に普段良く使う機能の内部情報のみの閲覧も可能となり、ユーザの利便性が向上する。また、表示環境が自動変更可変されるので、（表示環境の）設定の手間が省ける。  
【０１４２】
なお、「設定変更制御ステップ」に含まれるステップＳ１２５の表示環境設定条件変更処理、及びステップＳ１２６の表示内容設定条件変更処理では、「優先度」によって、変更対象を絞り込んで変更制御を行うようにしてもよい。
「優先度」は、利用頻度によってどのアプリケーションの機能表示を優先的に表示させるかを示すために、分析時に利用頻度情報の多いもの（上位のもの）から順に、各アプリケーション機能ないしは各個別内容情報毎に優先度を割り当てる。
【０１４３】
例えば、ユーザが任意に設定する場合に、マルチメディア機能の第１優先度が「１」、ブラウジング機能の第１優先度が「２」と割り当てられるとすれば、マルチメディア情報表示領域を待受画面の最上位に表示し、次に、ブラウジング情報表示領域を待受画面のマルチメディア情報表示領域の下方部に表示する。
【０１４４】
また、予め利用頻度に応じて変更する場合には、マルチメディアの第１利用頻度情報が「１０」、メールの第１利用頻度情報が「１２」、エンタテイメントの第１利用頻度情報が「２０」であるとすると、エンタテイメント機能には第１優先度「１」、メール機能には第１優先度「２」、マルチメディア機能には第１優先度「３」が割り当てられる（優先度割当機能部）。
そして、デフォルト（標準設定）では、各第１優先度と各表示位置との対応関係は、例えば、第１優先度の高い機能を最上部に、第１優先度の低い機能を最下部に表示するように定義されており、この定義に基づいて、各機能の表示位置の配列が決定される。
各第１優先度と各表示領域の表示位置との対応関係、各第１優先度と各表示領域の表示サイズとの対応関係、各第１優先度と各表示領域のフォントや背景色、フォントの色合いなど、その他の種々の表示環境設定条件情報との対応関係は、第１優先度情報記憶部として記憶されている。なお、第１優先度情報記憶部は、ＲＡＭ１５内の第１利用頻度情報記憶部１５ｂに含んでいてよい。
【０１４５】
ここで、ユーザが例えば、マルチメディア機能を頻繁に利用することにより、マルチメディアの第１利用状況情報が「３０」となった場合には、マルチメディア機能に第１優先度「１」、エンタテイメント機能に第１優先度「２」、メール機能に第１優先度「３」が各々割り当てられる。
これによって、各機能の表示位置の配列順序が変更される。また、各表示領域の表示サイズ、各表示領域の表示領域輪郭色、各表示領域の表示領域内背景色なども特定の制約（基準）に基づいて変更するようにしてもよい。
【０１４６】
同様に、ステップＳ１２６の処理では、同一アプリケーション機能内の異なる各個別内容情報についても第２利用頻度情報に応じた第２優先度を割り当てる。各第２優先度と各表示領域の表示位置との対応関係、各第２優先度と各表示領域の表示サイズとの対応関係など、その他の種々の表示環境設定条件情報との対応関係、表示内容設定条件情報との対応関係は、第２優先度情報記憶部として記憶されている。なお、第２優先度情報記憶部は、ＲＡＭ１５内の第２利用頻度情報記憶部１５ｃに含んでいてよい。
【０１４７】
［第３の実施例］
次に、本発明にかかる第３の実施例について、図１４に基づいて説明する。なお、以下には、前記第１の実施例の実質的に同様の構成に関しては説明を省略し、異なる部分についてのみ述べる。図１４は、本発明の通信装置の第３の実施例の一例を示すブロック図である。
【０１４８】
上述の第１の実施例では、待受画面に表示される複数のアプリケーション機能の内容情報の各表示領域の表示環境をユーザがカスタマイズ設定可能な第１機能を有する場合の例について説明し、上述の第２の実施例では、待受画面に表示される複数のアプリケーション機能の内容情報の各表示領域の表示環境が、装置内の利用状況に応じて自動的に変更される第２機能を有する場合の例について説明したが、本実施例では、待受画面に表示される複数のアプリケーション機能の内容情報の各表示領域の表示環境が、装置内の利用状況に応じて自動的に変更される第２機能と、ユーザが各表示領域の表示環境を設定可能な第１機能と、の双方の機能を有する場合の例について説明する。
この際、本実施例では、ユーザが第１機能を使用しない場合には、第２機能よって自動的に変更された表示環境にて待受画面が表示され、ユーザが第１機能を使用した場合には、第２機能の自動変更は行われず第１機能による表示環境にて待受画面が表示される制御を基本とする。ただし、第１機能による表示環境にて待受画面が表示された場合であって、該第１機能の設定条件項目として設定されていない条件項目に関しては、第２機能による自動変更が行われてもよいものとする。    
【０１４９】
具体的には、本実施例の通信装置の一例である携帯電話機４００のハードウエア構成は、図１４に示すように、上記第１の実施例と同様の構成である、操作入力部１１と、モニタ１３と、電源処理部１４と、ＲＡＭ１５と、ＲＯＭ１６と、通信部１７と、ＣＰＵ１８と、を含んで構成される。この際、第２実施例同様に、ＲＡＭ１５のデータ記憶領域に、表示環境情報記憶部１５ａの他、第１利用頻度情報記憶部１５ｂと、第２利用頻度情報記憶部１５ｃと、を構成している。
【０１５０】
また、携帯電話機４００のソフトウエア構成は、図１４に示すように、上述の第１の実施例と同様の構成である、マルチメディア制御部２１と、電話帳制御部２２と、エンタテイメント制御部２３と、ブラウジング制御部２４と、メーラ制御部（電子メール制御機能）２５と、その他のアプリケーション制御部２６と、待受制御部３１と、表示制御部３３と、待受画面表示環境設定条件設定制御部４２と、待受画面表示内容設定条件設定制御部４４と、その他の制御部４５とを含む構成に加え、上述の第２の実施の形態と同様の構成である第１変更制御部４６と、第２変更制御部４７とを含む構成に加え、本実施例の特徴的構成である選択制御部４８と、を含んで構成される。
【０１５１】
なお、待受画面表示環境設定条件設定制御部４２、待受画面表示内容設定条件設定制御部４４、その他の制御部４５、第１変更制御部４６、第２変更制御部４７、選択制御部４８により、「設定変更制御部」４０Ｃを構成している。また、待受画面表示環境設定条件設定制御部４２、待受画面表示内容設定条件設定制御部４４により、編集制御部４１を構成している。
【０１５２】
選択制御部４８は、待受画面に表示される複数のアプリケーション機能の保有する個別容情報の各表示領域の表示環境が、装置内の利用状況に応じて自動的に変更される第２機能と、各表示領域の表示環境をユーザが設定した状態で表示する第１機能と、を適宜選択制御する。
【０１５３】
具体的には、選択制御部４８は、ユーザが第１機能を使用しない場合には、第２機能よって自動的に変更された表示環境にて待受画面が表示され、ユーザが第１機能を使用した場合には、第２機能の自動変更は行われず第１機能による表示環境にて待受画面が表示される制御を基本とする。ただし、選択制御部４８は、第１機能による表示環境にて待受画面が表示された場合であって、該第１機能の設定条件項目として設定されていない条件項目に関しては、第２機能による自動変更を行う制御機能を含む。
【０１５４】
（表示制御処理）
次に、本実施例の携帯電話機にて、ポータルサイト型ＵＩとして機能するための表示制御処理の詳細について、図１５を参照しつつ説明する。
本携帯電話機では、ユーザがカスタマイズ設定を行った場合（利用頻度情報による自動変更制御を行わない設定の場合）＜第１設定制御パターン＞、ユーザがカスタマイズ設定を行わずに、ポータルサイト型ＵＩとして利用する場合（雛形ＵＩをもとに利用頻度によって表示環境及び表示内容が全て自動変更制御される設定の場合）＜第２設定制御パターン＞、さらには、カスタマイズ設定を行った場合に、利用頻度に応じて表示される内容情報の変更や各表示領域の配置位置などのレイアウトが自動変更される場合＜第３設定制御パターン＞などに区分されうる。
【０１５５】
これらの各パターンでは、各々処理手順が異なるが、概ね図１５に示すようなフローチャートによって統括的に処理を表現することができる。
先ず、ＣＰＵ（より広義にはコンピュータ、より詳細には設定変更制御部）は、ユーザが自身がよく利用するアプリケーションの機能の設定を行ったか否かの判定処理を行う（ステップＳ２０１）＜表示内容設定条件（種類情報）設定可否判定ステップないしは表示内容設定条件（種類情報）設定可否判定機能＞。このステップＳ２０１により、前述の第２設定制御パターンと、第１設定制御パターン及び第３設定制御パターンとを区別して処理を行うことになる。上述の表示例で説明したように、ユーザが全くカスタマイス設定を行わずに、ポータルサイト型ＵＩの機能を利用する場合（第２設定制御パターン）では、全てのアプリケーションの機能についての利用頻度の分析に応じて配置位置などのレイアウトが自動設定される。このプロセスは、ステップＳ２０５乃至ステップＳ２１１にて行われる。
一方、ユーザによるカスタマイズ設定が行われた場合（第１設定制御及び第３設定制御パターン）には、設定時に指定されたアプリケーション機能について処理が行われる。このプロセスは、ステップＳ２０２乃至ステップＳ２１０にて行われる。
【０１５６】
より詳細には、ＣＰＵ（より広義にはコンピュータ、より詳細には設定変更制御部）は、ステップＳ２０１の判定処理にて、ユーザによりアプリケーション機能が設定されていないものと判定された場合には、全アプリケーション機能の全項目について利用状況情報の一例である利用頻度情報を取得する処理を行う（ステップＳ２０５）＜全利用頻度情報取得ステップないしは全利用頻度情報取得機能＞。
次に、ＣＰＵ（より広義にはコンピュータ、より詳細には設定変更制御部）は、利用頻度情報を分析し、利用頻度の高いものを決定する（ステップＳ２０６）＜全利用頻度情報分析ステップないしは全利用頻度情報分析機能＞。
具体的には、全アプリケーション機能の全項目の利用頻度情報（アプリケーション機能を一まとまりのグループ単位としてカウントした第１利用頻度情報、アプリケーション機能内部の各項目＜個別内容情報識別情報＞毎にカウントした第２利用頻度情報）を分析し、利用頻度の高いものから優先度情報（第１利用頻度情報に対応する第１優先度情報、第２利用頻度情報に対応する第２優先度情報）を割り当てる処理を行う。
【０１５７】
さらに、ＣＰＵ（より広義にはコンピュータ、より詳細には設定変更制御部）は、利用頻度に応じて表示内容、レイアウトなどの設定条件を自動設定する制御処理を行う（ステップ２１１）＜設定条件自動設定制御処理ステップないしは設定条件自動設定制御処理機能＞。
【０１５８】
一方、ＣＰＵ（より広義にはコンピュータ、より詳細には設定変更制御部）は、ステップＳ２０１の判定処理にて、ユーザによりアプリケーション機能が初期設定されているものと判定された場合には、初期設定されたアプリケーション機能の種類を示す種類情報を取得する（ステップＳ２０２）＜設定アプリケーション機能種類情報取得ステップないしは設定アプリケーション機能種類情報取得機能＞。
例えば、図１０に示す表示例では、待受画面に表示される画像情報の他、アプリケーション機能として、電話帳機能の電話番号、メーラ機能のメールアドレスなどが設定されていることから、設定情報のうちアプリケーション機能の種類情報として保持されている（電話帳、メーラなど）の情報を取得する。
これによって、ポータルサイト型ＵＩに表示されるべきアプリケーション機能が電話帳アプリケーション機能とメーラアプリケーション機能に制限されるよう選択制御される。
【０１５９】
次に、ＣＰＵ（より広義にはコンピュータ、より詳細には設定変更制御部）は、初期設定されたアプリケーション機能の種類の範囲内にて、各アプリケーション機能の第１利用頻度情報を取得する処理を行う（ステップＳ２０３）＜特定機能利用頻度情報取得ステップないしは特定機能利用頻度情報取得機能＞。
ステップＳ２０３は、図１０に示す表示例では、電話帳アプリケーション機能（電話帳制御部）に関する第１利用頻度情報、メーラアプリケーション機能（メーラ制御部）に関する第１利用頻度情報を取得する。図１０のような設定条件の下では、他の種々のアプリケーション機能の利用頻度情報については、取得しなくてよい。
【０１６０】
さらに、ＣＰＵ（より広義にはコンピュータ、より詳細には設定変更制御部）は、初期設定されたアプリケーション機能の種類の範囲内にて、利用頻度情報（アプリケーション機能を一まとまりの単位としてカウントした第１利用頻度情報、アプリケーション機能内部の各項目＜個別内容情報識別情報＞毎にカウントした第２利用頻度情報）を分析し、利用頻度の高いものから優先度情報（第１利用頻度情報に対応する第１優先度情報、第２利用頻度情報に対応する第２優先度情報）を割り当てる（ステップＳ２０４）＜特定機能利用頻度情報分析ステップないしは特定機能利用頻度情報分析機能＞。
【０１６１】
ステップＳ２０４は、図１０に示す表示例では、電話帳アプリケーション機能（電話帳制御部）の第１利用頻度が例えば１０で、メーラアプリケーション機能（メーラ制御部）の第２利用頻度が例えば８である場合、電話帳アプリケーション機能に対して第１優先度「１」（第１優先度高）、メーラアプリケーション機能に対して第１優先度「２」（第１優先度低）を割り当てる。
これによって、この第１優先度に基づいて、第１利用頻度の高い電話帳アプリケーション機能の表示領域を上部に、メーラアプリケーション機能の表示領域を下部に、レイアウト設定を変更制御することができる。
【０１６２】
さらに、電話帳制御部のアプリケーション機能にあっては、複数の電話番号の表示項目が設定されていることから、電話帳制御部のアプリケーション機能内の前記複数の電話番号のうち、第２利用頻度の最も高い第１電話番号情報について第２優先度「１」を、その次に第２利用頻度の高い第２電話番号情報については第２優先度「２」を割り当てる。これによって、この第２優先度に基づいて、図１０に示すような２つある電話番号の各表示領域のうち、第２利用頻度の高い第１電話番号を上段の電話番号の表示領域に、その次に第２利用頻度の高い第２電話番号を下段の電話番号の表示領域に各々表示することができる。
すなわち、第２利用頻度に応じてアプリケーション機能の内容情報を選択的に表示することができる。
【０１６３】
またさらに、メーラ制御部のアプリケーション機能にあっては、複数のメールアドレスの表示項目が設定されていることから、メーラ制御部のアプリケーション機能内の複数のメールアドレスのうち、第２利用頻度の最も高い第１メールアドレス情報については優先度「１」を、その次に第２利用頻度の高い第２メールアドレス情報については優先度「２」を割り当てる。これによって、この第２優先度に基づいて、図１０に示すような２つあるメールアドレスの各表示領域のうち、第２利用頻度の高い第１メールアドレスを上段のメールアドレスの表示領域に、その次に第２利用頻度の高い第２メールアドレスを下段のメールアドレスの表示領域に各々表示することができる。
すなわち、第２利用頻度に応じてアプリケーション機能の内容情報を選択的に表示することができる。
【０１６４】
続いて、ＣＰＵ（より広義にはコンピュータ、より詳細には設定変更制御部）は、ユーザによりレイアウトが設定されているか否かの判定処理を行う（ステップＳ２０７）＜表示環境設定条件設定可否判定ステップないしは表示環境設定条件設定可否判定機能＞。ＣＰＵ（より広義にはコンピュータ、より詳細には設定変更制御部）は、ステップＳ２０７の表示環境設定条件設定可否判定ステップにおいて、設定されていないものと判定された場合には、ステップＳ２１１に進む。一方、ＣＰＵ（より広義にはコンピュータ、より詳細には設定変更制御部）は、ステップＳ２０７の表示環境設定条件設定可否判定ステップにおいて、設定されているものと判定された場合には、ステップＳ２０８へと進む。
すなわち、このステップの主眼とするところは、利用したいアプリケーション機能の種類は設定したが、具体的な配置位置や表示領域のレイアウトはデフォルトの設定のような場合、上述したステップＳ２１１の設定条件自動設定制御処理ステップにて利用頻度に応じて表示内容、レイアウトの自動設定が行われる。
【０１６５】
ステップＳ２１１の設定条件自動設定制御処理ステップは、図１０に示す表示例では、第１優先度「１」の電話帳アプリケーション機能を上部に、第１優先度「２」のメーラアプリケーション機能を下部に表示するように制御する。
【０１６６】
一方、ＣＰＵ（より広義にはコンピュータ、より詳細には設定変更制御部）は、ステップＳ２０７の表示環境設定条件設定可否判定ステップにて、ユーザによりカスタマイズされた初期設定（ユーザ設定）がなされている場合には、ユーザ設定の設定条件を優先させて、利用頻度による自動変更制御の機能のうち例えばレイアウト設定の変更は停止するよう制御する。
【０１６７】
ただし、ＣＰＵ（より広義にはコンピュータ、より詳細には設定変更制御部）は、ユーザ設定を行った場合であっても、図２や図１０に示すように、同一アプリケーション機能の表示領域を複数形成する場合、第２利用頻度による自動変更制御の機能のうち例えば表示内容設定条件の変更制御機能は有効となるよう制御することが好ましい。
具体的には、一方の表示領域の一方の個別内容情報と、他方の表示領域の個別内容情報とは、第２利用頻度情報を考慮して、いずれか一方の個別内容情報が優先的に上部の表示領域に表示された方が、ユーザにとって利便性が向上するとの観点から、表示内容設定条件を変更制御する処理を行うことが好ましい。
このような観点から、ステップＳ２０９及びステップＳ２１０の処理が行われる。
【０１６８】
なお、利用頻度に応じた内容情報を表示するか否かを予めユーザが設定できるようにしておくことが好ましい。つまり、利用頻度に応じた個別内容情報を表示する場合と、利用頻度に関わらず、ユーザが指定した個別内容情報を表示する場合と、適宜切替設定できる切替設定部を有することが好ましい。
【０１６９】
具体的には、ＣＰＵ（より広義にはコンピュータ、より詳細には設定変更制御部）は、ユーザが設定したレイアウト（表示環境）に関する情報を取得する処理を行う（ステップＳ２０８）＜表示環境設定条件情報取得ステップないしは表示環境設定条件情報取得機能＞。
【０１７０】
次に、ＣＰＵ（より広義にはコンピュータ、より詳細には設定変更制御部）は、利用頻度に応じた内容表示を設定しているか否かの判定処理を行う（ステップＳ２０９）＜利用頻度設定可否判定処理ステップないしは利用頻度設定可否判定処理機能＞。ＣＰＵ（より広義にはコンピュータ、より詳細には設定変更制御部）は、ステップＳ２０９の利用頻度設定可否判定処理ステップにおいて、利用頻度に応じた内容表示が設定されているものと判定された場合には、ユーザ設定レイアウトに対して、利用頻度に応じて表示内容、レイアウトを部分的に変更制御する処理を行う（ステップＳ２１０）＜設定条件情報部分変更制御ステップないしは設定条件情報部分変更制御機能＞。  
ここで、「部分的に変更制御する」とは、同一アプリケーション機能の表示領域を複数形成する場合、第２利用頻度情報を考慮して、複数の各表示領域と各個別内容情報との対応関係を、初期設定の対応関係より利用頻度順の対応関係に変更制御する等をいう。なお、各表示領域と各個別内容情報との対応関係を一定にして、各表示領域の配置位置関係（例えば配列順序など）を変更制御してもよい。
【０１７１】
一方、ＣＰＵ（より広義にはコンピュータ、より詳細には設定変更制御部）は、ステップＳ２０９の利用頻度設定可否判定処理ステップにおいて、利用頻度に応じた内容表示が設定されておらず、利用頻度に関わらずユーザが表示される個別内容情報を指定していると判断された場合には、レイアウトや表示内容の変更は行われず、ステップＳ２１２に進む。
【０１７２】
以上まとめると、第一に、第１設定制御パターンであって、レイアウト設定（表示環境初期設定）が固定で、利用頻度に応じた自動変更制御が不可で、同一アプリケーション機能の表示領域が複数存在しない場合には、表示環境設定条件は初期設定のままで、表示内容設定条件は初期設定のままである。
【０１７３】
第二に、第２設定制御パターンの一態様であって、レイアウト設定（表示環境初期設定）が変動可（第１利用頻度に応じた自動変更制御）で、利用頻度（第１利用頻度、第２利用頻度）に応じた自動変更制御を行い、同一アプリケーション機能の表示領域が複数存在する場合には、表示環境設定条件は第１利用頻度による変更後の設定となり、表示内容設定条件は第２利用頻度による変更後の設定となる。  
第三に、第２設定制御パターンの他の態様であって、レイアウト設定（表示環境初期設定）が変動可（第１利用頻度に応じた自動変更制御）で、利用頻度（第１利用頻度、第２利用頻度）に応じた自動変更制御を行い、同一アプリケーション機能の表示領域が複数存在しない場合には、表示環境設定条件は第１利用頻度による変更後の設定となり、第２利用頻度情報は設定変更制御に実質的に用いられず、表示内容設定条件は初期設定のままである。  
【０１７４】
第四に、第３設定制御パターンの一態様であって、レイアウト設定（表示環境初期設定）が固定で、利用頻度（第２利用頻度）に応じた自動変更制御を行い、同一アプリケーション機能の表示領域が複数存在しない場合には、表示環境設定条件は初期設定のままで、第２利用頻度情報は設定変更制御に実質的に用いられず、表示内容設定条件は初期設定のままである。
第五に、第３設定制御パターンの他の態様であって、レイアウト設定（表示環境初期設定）が固定で、利用頻度（第２利用頻度）に応じた自動変更制御を行い、同一アプリケーション機能の表示領域が複数存在する場合には、表示環境設定条件は初期設定のままで、表示内容設定条件は第２利用頻度による変更後の設定となる。  
【０１７５】
なお、以上のステップＳ２０１〜ステップＳ２１１により、本発明にいう「設定変更制御ステップ」を構成できる。
【０１７６】
次に、ＣＰＵ（より広義にはコンピュータ、より詳細には待受制御部）は、アプリケーション機能内の指定された個別内容情報を取得する処理を行う（ステップＳ２１２）＜指定個別内容情報取得ステップないしは指定個別内容情報取得機能＞。
このステップＳ２１２では、図１６に示すように、ＣＰＵ（より広義にはコンピュータ、より詳細には待受制御部）は、一アプリケーション機能内の表示指定された項目のうち、第２利用頻度の多い個別内容情報を識別する情報（個別内容情報識別情報）を取得する処理を行う（ステップＳ２３１）＜個別内容情報識別情報取得ステップないしは個別内容情報識別情報取得機能＞。
続いて、ＣＰＵ（より広義にはコンピュータ、より詳細には待受制御部）は、個別内容情報識別情報に関連する実データである個別内容情報を取得する処理を行う（ステップＳ２３２）＜個別内容情報取得ステップないしは個別内容情報取得機能＞。
【０１７７】
さらに、ＣＰＵ（より広義にはコンピュータ、より詳細には待受制御部）は、一アプリケーション機能内で他の表示するべき個別内容情報（個別内容情報識別情報）があるか否かを判定する処理を行う（ステップＳ２３３）＜個別内容情報識別情報有無判定処理ステップないしは個別内容情報識別情報有無判定処理機能＞。
このステップＳ２３３にて、一アプリケーション機能内で他の表示するべき個別内容情報があるものと判定された場合には、ステップＳ２３１に戻る。一方、ステップＳ２３３にて、一アプリケーション機能内で他の表示するべき個別内容情報がないと判定された場合には、ステップＳ２１２に進む。
このように、ステップＳ２１２に含まれるステップＳ２３１〜ステップＳ２３３では、個別内容情報とともに、アプリケーションの種類情報、アプリケーションの保有する個別内容情報を識別する個別内容情報識別情報、を全て取得することとなる。
【０１７８】
続いて、ＣＰＵ（より広義にはコンピュータ、より詳細には待受制御部）は、他に選択設定されたアプリケーション機能の個別内容情報があるか否かを判定する処理を行う（ステップＳ２１３）＜選択設定個別内容情報有無探索判定処理ステップないしは選択設定個別内容情報有無探索判定処理機能＞。
ＣＰＵ（より広義にはコンピュータ、より詳細には待受制御部）は、このステップＳ２１３にて、他に内容情報が設定されているものと判定された場合には、ステップＳ２１２に戻る。一方、ステップＳ２１２にて、他に個別内容情報が設定されているものと判定された場合には、ステップＳ２１４に進む。
ＣＰＵ（より広義にはコンピュータ、より詳細には待受制御部）は、ステップＳ２１４では、待受画面にて、各レイアウトの各表示領域に、各アプリケーションの個別内容情報の一部を表示制御する処理を行う（ステップＳ２１４）＜個別内容情報表示生成処理ステップないしは個別内容情報表示生成処理機能＞。
【０１７９】
なお、以上のステップＳ２１２〜ステップＳ２１４により、本発明にいう「待受制御ステップ」を構成できる。
さらに、必要に応じて、前記第１の実施例と同様の処理Ｘ１を行ってよい。
【０１８０】
なお、以上の例では、第１利用頻度情報（ログ）及び第２利用頻度情報がアプリケーション機能の外部のＲＡＭ１５に蓄積処理される場合を例に説明したが、これに限るものではない。第１利用頻度情報及び第２利用頻度情報の双方がアプリケーション機能の内部に蓄積処理される場合であってもよいし、第１利用頻度情報は、外部ＲＡＭ１５に蓄積処理され、第２利用頻度情報は、アプリケーション機能の内部に蓄積処理される場合であってもよい。
【０１８１】
利用頻度情報がアプリケーション機能の内部に有している場合、アプリケーション機能を有効状態（起動した状態）を実現して情報取得を行うのが好ましく、この際、図１４のステップＳ２０２とステップＳ２０３との間で、アプリケーションを起動させるステップＺ１を行うことが好ましい。さらに、図１５のステップＳ２０１とステップＳ２０５との間で、アプリケーションを起動させるステップＺ２を行うことが好ましい。また、図１５のステップＳ２３１とステップＳ２３２との間で、アプリケーションを起動させるステップＺ３を行うことが好ましい。  
【０１８２】
以上のように本実施例によれば、前記第１の実施例及び第２の実施例と同様の作用効果を奏しながらも、利用頻度に応じた表示環境の自動変更と、ユーザによる表示環境のカスタマイズ機能とを組み合わせることにより、ユーザニーズに応じた様々なバリエーションの待受画面を提供できる。
すなわち、様々なユーザニーズに合わせてカスタマイズ設定（表示環境設定条件及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
【０１８３】
［第４の実施例］
次に、本発明にかかる第４の実施例について、図１７に基づいて説明する。なお、以下には、前記第１の実施例の実質的に同様の構成に関しては説明を省略し、異なる部分についてのみ述べる。図１７は、本発明の通信装置の第４の実施例の一例を示すブロック図である。
上述の第１の実施例では、通信装置のユーザが購入時にポータルサイト型ＵＩの待受画面を利用するという前提での実施例を示したが、本実施例では、ポータルサイト型ＵＩの待受画面と通常の待受画面とを適宜切替変更可能な構成ついて示している。
【０１８４】
具体的には、本実施例の通信装置の一例である携帯電話機５００のハードウエア構成は、図１７に示すように、上記第１の実施例と同様の構成である、操作入力部５１１と、モニタ５１３と、電源処理部５１４と、ＲＡＭ５１５と、ＲＯＭ５１６と、通信部５１７と、ＣＰＵ５１８と、を含んで構成される。この際、第２実施例同様に、ＲＡＭ５１５のデータ記憶領域に、表示環境情報記憶部５１５ａの他、第１利用頻度情報記憶部５１５ｂと、第２利用頻度情報記憶部５１５ｃと、を構成している。
【０１８５】
また、携帯電話機５００のソフトウエア構成は、図１７に示すように、上述の第１の実施例と同様の構成である、マルチメディア制御部５２１と、電話帳制御部５２２と、エンタテイメント制御部５２３と、ブラウジング制御部５２４と、メーラ制御部５２５と、その他のアプリケーション制御部５２６と、表示制御部５３３と、（待受画面表示環境設定条件設定制御部及び待受画面表示内容設定条件設定制御部を含む）編集制御部５４１と、その他の制御部５４５と、を含む構成に加え、本実施例の特徴的構成であるその他の画面制御部５３４と、アイコン情報制御部５３５と、ポータルサイト型待受画面制御部５３１と、モード切替画像合成制御部５３６とを含んで構成される。
【０１８６】
その他の画面制御部５３４は、待受画面の他の様々に画面展開される各種の画面にて構成されるデータを有して各種の画面を生成する制御を行う。
【０１８７】
アイコン情報制御部５３５は、符号５２１〜符号５２６の各アプリケーション機能や機能状態と関連付けられたアイコン情報を有して待受画面に各種状態を示すアイコン情報を生成表示するよう制御を行う。
【０１８８】
ポータルサイト型待受画面制御部５３１は、上述した第１乃至第３実施例のうちいずれかの待受制御部と同様の機能を有する。
【０１８９】
モード切替画像合成制御部５３２は、他の種々の画面を表示させる他の画面表示モードと、本発明の特徴であるポータルサイト型ＵＩを有する待受画面を表示させるポータルサイト型ＵＩモードと、を切替制御する機能を有する。さらに、モード切替画像合成制御部５３２は、ポータルサイト型ＵＩの待受画面上（例えば待受画面の上端部表示領域及び下端部表示領域など）に種々の状態を示すアイコン情報（状態表示アイコン情報）を合成して表示する画像合成機能を有する。
なお、状態表示アイコン情報は、待受画面の画面輪郭部の一部（フレーム領域）を利用して表示することが好ましい。
【０１９０】
その他の制御部５３７は、前記第３の実施例と同様の構成である第１変更制御部、第２変更制御部、選択制御部、あるいは、前記第１の実施例と同様の構成であるスクロール制御部、拡大縮小制御部などを含めることができる。
【０１９１】
上述のような構成からなる携帯電話機のソフトウエア構成において、概略以下のように動作する。すなわち、電源投入時には、その他の画面制御部５３４の一機能であるウエイクアップ画面が生成され、モード切替画像合成制御部５３６は、表示制御部５３３に、ウエイクアップ画面データを供給することによって、モニタ１３上にウエイクアップ画面が表示される。
【０１９２】
その後、所定期間経過後、モード切替画像合成制御部５３２は、ポータルサイト型待受画面制御部５３１からのポータルサイト型ＵＩの待受画面データと、アイコン情報制御部５３５からのアイコン情報とに基づいて、ポータルサイト型ＵＩの待受画面にアイコン情報が付与された画面を生成制御し、表示制御部５３３を介してモニタ５１３にポータルサイト型ＵＩの待受画面を表示する。なお、このアイコン情報は、各アプリケーションの機能状態を示す情報であることが好ましい。
【０１９３】
さらに、電話着信、メール着信などが行われた場合には、その他の画面制御部５３４の一機能である電話着信画面やメール着信画面などが生成され、モード切替画像合成制御部５３２は、表示制御部５３３に、電話着信画面データを供給することによって、モニタ１３上に電話着信画面が表示される。或いは、モード切替画像合成制御部５３２は、表示制御部５３３に、メール着信画面データを供給することによって、モニタ１３上にメール着信画面が表示される。
【０１９４】
あるいは、別のケースとして、待受画面上で特定操作部を選択し、ＵＩに設定されていない機能を利用することもできる。
【０１９５】
以上のように本実施例によれば、前記第１乃至第３の実施例と同様の作用効果を奏しながらも、ユーザに応じた、ポータルサイト型ＵＩの利用をする際にも、他のモードに状態が変化した際には、他の画面に適宜画面遷移することができる。そして、ユーザのさらなる利便性が向上する。
【０１９６】
［第５の実施例］
次に、本発明にかかる第５の実施例について、図１８乃至図２０に基づいて説明する。なお、以下には、前記第１の実施例の実質的に同様の構成に関しては説明を省略し、異なる部分についてのみ述べる。図１９は、本発明の通信装置の第５の実施例の一例を示すブロック図である。
【０１９７】
上述の第１の実施例では、通信装置の表示部のディスプレイが１つ構成される場合について説明したが、通信装置の前面側に第１表示部（メインディスプレイ）、背面側に第２表示部（サブディスプレイ）が構成される場合に、各表示部の各待受画面について、各々異なるポータルサイト型ＵＩを形成可能な構成を示している。
【０１９８】
具体的には、本実施例の通信装置の一例である携帯電話機６００は、図１８に示すように、前面側の第１の表示部６４０と、背面側の第２の表示部６４２とを有する概観構成としている。この携帯電話機６００は、第１の表示部６４０と第２の表示部６４２とを有するディスプレイ側筐体と、操作ボタン側筐体とが一端側でヒンジ部により回動可能に結合される折り畳み型の携帯電話機である。例えば、ディスプレイ側筐体と操作ボタン側筐体とが開くと第１の表示部６４０に第１待受画面が表示され、ディスプレイ側筐体と操作ボタン側筐体とが閉じると第２の表示部に第２待受画面が表示される。
図１９には、このような携帯電話機６００のハードウエア構成のブロック図が示されている。
【０１９９】
（ハードウエア構成）
より詳細には、図１９に示すように、携帯電話機６００のハードウエア構成は、空中線（アンテナ）Ａ１を介して情報の授受がなされる無線通信部６１０と、ＴＶやラジオなどの電波を空中線（アンテナ）Ａ２を介して受信し映像信号及び音声信号を出力する機能を有するチューナ部６１１と、携帯電話機６００の現在の位置情報（例えば緯度、経度、高度など）を取得する位置情報取得部６１３と、種々の画像情報が撮像可能であって２次元バーコードなどを読み取り機能を有する第１のカメラ部６１３及びＴＶ電話などに利用される第２のカメラ部６１４と、例えばＲＦＩＤタグリーダ／ライタ或いは他の非接触型ＩＣ通信部（例えばＲＦＩＤタグ等）との間で無線通信可能な非接触ＩＣ通信部６１５と、他の赤外線通信可能な通信装置と赤外線通信可能な赤外線通信部６１６と、を含んで構成される。
【０２００】
さらに、携帯電話機６００は、通話の際に音声入力を行うためのマイク等から構成される音声入力部６２０と、通話の際に音声出力がなされる第１の音声出力部６２１と、ＴＶや音楽などをステレオで音声出力がなされる第２の音声出力部６２２と、種々の信号に対して信号処理を行うための信号処理部６２３と、を含んで構成される。
【０２０１】
加えて、携帯電話機６００は、操作入力を行うための操作入力部６３０と、メインディスプレイとして第１待受画面を表示可能な第１の表示部６４０と、サブディスプレイ（イメージウインドウ）として第２待受画面を表示可能な第２の表示部６４２と、前記第１の表示部１０４０に表示される表示画面を表示制御する第１の表示制御回路６４１と、前記第２の表示部６４２に表示される表示画面を表示制御する第２の表示制御回路６４３と、折り畳み式において開いた状態と閉じた状態とを検出する検出部６４５と、を含んで構成される。
【０２０２】
また、携帯電話機６００は、例えば種々の半導体メモリカード等を着脱自在に構成した内蔵用の第１の記録媒体６５０と、例えば種々の半導体メモリカード等を着脱自在に構成した外部増設用の第２の記録媒体６５１と、イヤホンマイクや充電コネクタなどの第１の外部接続端子６５２と、他の通信装置と有線にてデータ通信可能な種々のケーブル（例えば一端側がＵＳＢ端子に接続可能で他端側が装置本体と接続可能なＵＳＢ接続ケーブル等）を接続可能なコネクタ等の第２の外部接続端子６５３と、各種点灯表示を行う各種ランプ６５４（例えば、着信ランプ、充電ランプ、撮影ランプ等）と、携帯電話機６００に電源を供給するための充電電池などの電池６５５と、電源アダプタや充電端子などを接続する端子などのその他の各部６５６と、を含んで構成される。
【０２０３】
さらに、携帯電話機６００は、記憶部としてのＲＡＭ６６０及びＲＯＭ６６１と、以上の各部の制御を司る制御手段としてのＣＰＵ６６２と、を含んで構成される。
【０２０４】
なお、空中線（アンテナ）Ａ２及びチューナ部６１１により受信されるＴＶ動画像は、例えば「ワンセグ」であることが好ましい。「ワンセグ」は、移動体向け地上デジタルテレビ放送で、１チャンネル（６ＭＨｚ）の帯域を１３セグメントに分割し、そのうちの１セグメントを、情報端末向けに利用していることから「ワンセグ」と称される。ワンセグでは、映像音声とともにデータ放送が放送されるが、より詳細な情報は、通信データ放送サイトや他の種々のサイトにて提供されるため、放送を通信で補完することが前提となる放送サービスである。携帯電話機の通信機能を利用して、テレビ放送事業者の放送局などと双方向の情報の授受が可能でとなる。
【０２０５】
位置情報取得部６１３は、情報端末の現在の位置情報を適宜取得する機能を有し、例えばＧＰＳ受信部などが挙げられるが、エリアサーチによる位置情報取得手法であってもよい。位置情報取得部６１３が、例えばＧＰＳ受信部などであれば、ＧＰＳ衛星からの信号を直接又は間接的に取得して現在位置における緯度や経度などの位置情報を取得することとなる。
【０２０６】
第１のカメラ部６１３は、通常の撮像機能の他、一つの例として、ＱＲコード（２次元バーコード）の読込み機能を有する２次元バーコードリーダ（バーコード情報取得手段）などとして機能できる。バーコード情報取得手段は、例えばＱＲコード読取り機能として構成する場合、通信装置の一例である携帯電話がそのカメラ機能を用いて二次元バーコードを撮影することにより、ＱＲコードが持つ約３キロバイト弱の情報を読取ることが出来る。  
【０２０７】
非接触ＩＣ通信部６１５は、ＲＦＩＤ（Ｒａｄｉｏ  Ｆｒｅｑｕｅｎｃｙ  Ｉｄｅｎｔｉｆｉｃａｔｉｏｎ：非接触無線識別方式）を用いた（非接触型ＩＣチップを含む）ＩＣタグからのデータ（ＩＣチップデータ）を読込む機能を有するＩＣタグリーダ部（ＩＣ情報取得手段）などが挙げられる。ＩＣ情報取得手段は、例えばＩＣダグリーダとして構成する場合、情報端末の一例である携帯電話のＩＣタグリーダ機能を用いることができる。ＩＣタグの規格およびＩＣタグを利用したサービスは種々あるが、携帯電話のＩＣタグリーダがＩＣタグを読み込むと、簡易な画像ファイルの表示や、タグ内に記述されたＵＲＬや電話番号への接続を行うことができるよう構成することが好ましい。
【０２０８】
（ソフトウエア構成）  
以上のようなハードウエア構成の前提の下、図２０には、ポータルサイト型ＵＩの待受画面を、第１の表示部、第２の表示部のそれぞれにて実現するための具体的なソフトウエア構成が開示されている。
携帯電話機のソフトウエア構成７００は、図２０に示すように、前記第１の実施例と同様の構成である、マルチメディア制御部７０１と、電話帳制御部７０２と、エンタテイメント制御部７０３と、ブラウジング制御部７０４と、メーラ制御部７０５と、その他のアプリケーション制御部７０６と、を含んで構成される。
【０２０９】
さらに、本実施例の携帯電話機のソフトウエア構成７００は、第１の表示部にポータルサイト型ＵＩを有する第１待受画面を表示するための第１の待受制御部７１１ａと、第２の表示部にポータルサイト側ＵＩを有する第２待受画面を表示するための第２の待受制御部７１１ｂと、第１の待受制御部７１１ａからの第１待受画面情報に種々の処理（例えばフレーム等）を施して第１の表示部に表示するよう表示制御する第１の表示制御部１１２と、第２の待受制御部７１１ｂからの第２待受画面情報に種々の処理を施して第２の表示部に表示するように表示制御する第２の表示制御部７１３と、を含んで構成される。
【０２１０】
さらに、本実施例の携帯電話機のソフトウエア構成７００は、前記第２の実施例の構成である第１利用頻度情報記憶部及び第２利用頻度情報記憶部などの情報を含む利用頻度情報記憶部６６０ｃの構成に加え、本実施例の特徴的構成である第１の設定条件情報記憶部６６０ａと、第２の設定条件情報記憶部６６０ｂと、第１の編集制御部７１５ａと、第２の編集制御部７１５ｂと、第１変更制御部７１６ａと、第２変更制御部７１６ｂと、第３変更制御部７１６ｃと、第４変更制御部７１６ｄと、その他の制御部７１８と、第１の設定部７２０と、第２の設定部７２１と、第３の設定部７２２と、第４の設定部７２３と、を含んで構成される。
【０２１１】
なお、第１の編集制御部７１５ａと、第２の編集制御部７１５ｂと、第１変更制御部７１６ａと、第２変更制御部７１６ｂと、第３変更制御部７１６ｃと、第４変更制御部７１６ｄと、その他の制御部７１８とで、「設定変更制御部７１４」を構成している。さらに、第１の待受制御部７１１ａと第２の待受制御部７１１ｂとで本発明にいう「待受制御手段」を構成できる。
「待受制御手段」は、前記第１の待受画面と前記第２の待受画面をそれぞれ制御することができる。また、「変更制御手段」は、前記第１の待受画面と前記第２の待受画面のそれぞれの設定条件を設定変更制御することができる。
【０２１２】
第１の設定条件情報記憶部６６０ａは、第１の表示部６４０の第１待受画面の第１の表示環境設定条件情報、第１の表示内容設定条件情報を記憶する。
【０２１３】
第２の表示環境情報記憶部６６０ｂは、第２の表示部６４２の第２待受画面の第２の表示環境設定条件情報、第２の表示内容設定条件情報を記憶する。
【０２１４】
第１の設定部７２０は、第１の表示部６４０に表示される第１待受画面の各表示領域の表示環境（例えば、各表示領域の配置位置、サイズ、表示領域輪郭の色、模様、背景画像など）を設定する。
【０２１５】
第２の設定部７２１は、第１の表示部６４０に表示される前記第１待受画面の各表示領域に如何なるアプリケーション機能の種類を割り当てるか（関連付けさせるか）＜第１待受画面用アプリケーション機能種類情報＞或いは一つのアプリケーション機能の保有する複数の個別内容情報のうち如何なる個別内容情報を各表示領域に割り当てるか＜第１待受画面用アプリケーション機能個別内容情報識別情報＞などを設定する。
【０２１６】
第３の設定部７２２は、第２の表示部６４２に表示される第１待受画面の各表示領域の表示環境（例えば、各表示領域の配置位置、サイズ、表示領域輪郭の色、模様、背景画像など）を設定する。
【０２１７】
第４の設定部７２４は、第２の表示部６４２に表示される前記第２待受画面の各表示領域に如何なるアプリケーション機能の種類を割り当てるか（関連付けさせるか）＜第２待受画面用アプリケーション機能種類情報＞或いは一つのアプリケーション機能の保有する複数の個別内容情報のうち如何なる個別内容情報を各表示領域に割り当てるか＜第２待受画面用アプリケーション機能個別内容情報識別情報＞などを設定する。
【０２１８】
第１の編集制御部７１５ａは、前記第１の実施の形態の「編集制御部」と同様の機能を有する。この際、第１の編集制御部７１４ａには、第１の待受制御部７１１ａに対する待受画面表示環境設定条件設定制御部、第１の待受制御部７１１ａに対する表示内容設定条件設定制御部などを含む。第１の待受制御部７１１ａに対する待受画面表示環境設定条件設定制御部は、第１の設定部７２０にて設定される第１待受画面の表示環境設定条件情報を特定の記憶領域（第１の設定条件情報記憶部６６０ａ）に書き込み、第１の待受制御部７１１ａ内の表示環境設定条件を更新することで、第１待受画面の表示環境設定条件を設定変更制御する機能を有する。第１の待受制御部７１１ａに対する表示内容設定条件設定制御部は、第２の設定部７２１にて設定される第１待受画面の表示内容設定条件情報を特定の記憶領域（第１の設定条件情報記憶部６６０ａ）に書き込み、第１の待受制御部７１１ａ内の表示内容設定条件を更新することで、第１待受画面の表示内容設定条件を設定変更制御する機能を有する。
【０２１９】
第２の編集制御部７１５ｂは、第２の待受制御部７１１ｂに対する待受画面表示環境設定条件設定制御部、第２の待受制御部７１１ｂに対する待受画面表示内容設定条件設定制御部などを含む。第２の待受制御部７１１に対する待受画面表示環境設定条件設定制御部は、第３の設定部７２２にて設定される第２待受画面の表示環境設定条件情報を特定の記憶領域（第２の設定条件情報記憶部６６０ｂ）に書き込み、第２の待受制御部７１１ｂ内の表示環境設定条件を更新することで、第２待受画面の表示環境設定条件を設定変更制御する機能を有する。第２の待受制御部７１１ｂに対する表示内容設定条件設定制御部は、第４の設定部７２３にて設定される第２待受画面の表示内容設定条件情報を特定の記憶領域（第２の設定条件情報記憶部６６０ｂ）に書き込み、第２の待受制御部７１１ｂ内の表示内容設定条件を更新することで、第２待受画面の表示内容設定条件を設定変更制御する機能を有する。
【０２２０】
第１変更制御部７１６ａは、前記第３の実施の形態の「第１変更制御部」と同様の機能を有する。また、第２変更制御部７１６ｂは、前記第３の実施の形態の「第２変更制御部」と同様の機能を有する。これらは、第１の待受制御部７１１ａに対する変更処理を行う際に利用される。
【０２２１】
第３変更制御部７１６ｃは、第１変更制御部７１６ａと同様に、各アプリケーション制御部の第１利用頻度情報を取得して、利用頻度情報記憶部６６０ｃに第１利用頻度情報を（アプリケーション機能の種類を示す）種類情報と対応づけて記憶する処理を行う。また、第３変更制御部７１６ｃは、利用頻度情報記憶部６６０ｃに記憶された複数の第１利用頻度情報を分析する処理を行う（第１利用頻度情報分析手段）。さらに、第３変更制御部７１６ｃは、変更対象が決定されると、第２の表示部６４２の第２待受画面の表示環境をどのように変更するかを決定する処理を行う（表示環境種類決定手段）。
【０２２２】
第４変更制御部７１６ｄは、第２変更制御部７１６ｂと同様に、各アプリケーション制御部の第２利用頻度情報を取得して、利用頻度情報記憶部６６０ｃに第２利用頻度情報を（アプリケーション機能の保有する個別内容情報を識別する個別内容情報識別情報を示す）種類情報と対応づけて記憶する処理を行う。また、第４変更制御部７１６ｄは、利用頻度情報記憶部６６０ｃに記憶された複数の第２利用頻度情報を分析する処理を行う（第２利用頻度情報分析手段）。さらに、第４変更制御部７１６ｄは、変更対象が決定されると、第２の表示部６４２の第２待受画面の表示環境をどのように変更するかを決定する処理を行う（表示環境種類決定手段）。
【０２２３】
これら第３変更制御部７１６ｃ及び第４変更制御部７１６ｄは、第１の待受制御部７１１ａに対する変更処理を行う際に利用される。
【０２２４】
その他の制御部７１８は、必要な各種制御機能を含む。例えば、ニューロポインタによる第１待受画面上の各表示領域内の内容表示画面情報をスクロール可能な第１待受画面スクロール制御部、第１待受画面上の各表示領域のうち、選択指定された表示領域を必要に応じて拡大・縮小などの処理を行う第１待受画面表示領域拡大縮小制御部、などが挙げられる。
なお、この他、第１待受画面と同様に、第２待受画面スクロール制御部、第２待受画面表示領域拡大縮小制御部を含んで構成してもよい。
【０２２５】
（動作について）
上述のような構成からなる携帯電話機のソフトウエア構成において、概略以下のように動作する。すなわち、第１の設定部７２０にて設定された第１待受画面の各表示領域の表示環境情報は、第１の設定条件境情報記憶部６６０ａに記憶される。加えて、第２の設定部７２１にて設定された第１待受画面のアプリケーション機能の種類情報（第１待受画面用アプリケーション機能種類情報）、個別内容情報識別情報（第１待受画面用アプリケーション機能個別内容情報識別情報）なども、第１の設定条件情報記憶部６６０ａに記憶される。
【０２２６】
一方、第３の設定部７２２にて設定された第２待受画面の各表示領域の表示環境情報は、第２の設定条件情報記憶部６６０ｂに記憶される。加えて、第４の設定部７２３にて設定された第２待受画面のアプリケーション機能の種類情報（第１待受画面用アプリケーション機能種類情報）、個別内容情報識別情報（第２待受画面用アプリケーション機能個別内容情報識別情報）なども、第２の設定条件情報記憶部６６０ｂに記憶される。
【０２２７】
第１の編集制御部７１５ａは、第１の設定条件情報記憶部６６０ａの第１の表示環境設定条件情報、第１待受画面用アプリケーション機能種類情報、第１待受画面用アプリケーション機能個別内容情報識別情報、などを第１の待受制御部７１０の主ファイル部に書込む処理を行う。さらに、第２の編集制御部７１５ｂは、第２の設定条件情報記憶部６６０ｂの第２の表示環境設定条件情報、第２待受画面用アプリケーション機能種類情報、第２待受画面用アプリケーション機能個別内容情報識別情報、などを第２の待受制御部７１１の主ファイル部に書込処理を行う。
【０２２８】
第１の待受制御部７１１ａは、第１の表示環境設定条件情報、第１の表示内容設定条件情報（第１待受画面用アプリケーション機能種類情報、第１待受画面用アプリケーション機能個別内容情報識別情報）、などに基づいて、符号７０１〜７０６の各アプリケーション機能から必要な情報を取得して、第１の表示環境情報の表示環境にて表示可能な待受画面データを主ファイル部として生成する。
【０２２９】
第１の表示制御部７１２は、第１の待受制御部７１０からの待受画面データやその他のデータに基づいて、第１の表示部６４０に待受画面を表示する制御を行う。
【０２３０】
同様に、第２の待受制御部７１１ｂは、第２の表示環境設定条件情報、第２の表示内容設定条件情報（第２待受画面用アプリケーション機能種類情報、第２待受画面用アプリケーション機能個別内容情報識別情報）、などに基づいて、符号７０１〜７０６の各アプリケーション機能から必要な情報を取得して、第２の表示環境情報の表示環境にて表示可能な待受画面データを主ファイル部として生成する。
【０２３１】
第２の表示制御部７１３は、第２の待受制御部７１１からの待受画面データやその他のデータに基づいて、第２の表示部６４２に待受画面を表示する制御を行う。
【０２３２】
このようにして、第１の表示部６４０には第１待受画面が、第２表示部６４２には第２待受画面が表示可能な状態となる。
【０２３３】
ここで、例えば、図１９に示す検出部６４５により、折り畳み式において開いた状態では、第１の表示部６４０に第１待受画面が表示され、閉じた状態では第２の表示部６４２に第２待受画面が表示されることが好ましい。すなわち、ＣＰＵ（或いはその他の制御部７１８内の制御機能）は、検出部６４５により折り畳まれたことを検出した場合には、第２の表示部６４２に第２待受画面を表示するように制御し、他方、開いたと検出した場合には、第１の表示部６４０に第１待受画面を表示するように制御する。
【０２３４】
なお、このような場合に限らず、ＣＰＵ（或いはその他の制御部７１８内の制御機能）が、開いた状態の時に、第１の表示部６４０に第１待受画面を表示し、第２の表示部６４０に他の画面を表示する制御を行ってもよいし、ＣＰＵ（或いはその他の制御部７１８内の制御機能）が、開いた状態の時に、第１の表示部６４０に第１待受画面を表示し、第２の表示部６４０に第２待受画面を表示する制御を行ってもよい。
【０２３５】
以上のように本実施例によれば、前記第３の実施例と同様の作用効果を奏しながらも、第１の表示部と第２の表示部とが構成される通信装置においても、ユーザニーズに応じた待受画面の表示環境を提供できる。
【０２３６】
［第６の実施例］
次に、本発明にかかる第６の実施例について、図２１に基づいて説明する。なお、以下には、前記第１の実施例の実質的に同様の構成に関しては説明を省略し、異なる部分についてのみ述べる。図２１は、本発明の通信装置の第６の実施例の表示部に表示される表示態様の一例を示す説明図である。なお、ハードウエア構成は、例えば前記第５の実施例の構成とするのが好ましく、また、ソフトウエア構成は、前記第３の実施例の構成とするのが好ましい。いずれの構成の詳細は省略する。
【０２３７】
本実施例では、待受画面の様々な表示態様の構成の具体的一例を示している。本実施例の携帯電話機の待受画面に表示される画面８１０では、例えば、お財布ケータイによる収支データを表示する収支データ表示領域８１２と、ＴＶ番組（試合など）の速報を表示する番組情報表示領域８１３と、スケジュール管理機能の内容情報を表示するスケジュール情報表示領域８１４と、第１のメール作成画面を表示する第１の電子メール情報表示領域８１６ａと、第２のメール作成画面を表示する第２の電子メール情報表示領域８１６ｂと、第１のメールの相手先（例えば夫等）の位置を示す第１の地図情報（ユーザによる設定時に予め検索等により探索し地図情報を閲覧可能として設定されている）を表示する第１の地図情報表示領域８１８ａと、第２のメールの相手先（例えば子供等）の位置を示す第２の地図情報（ユーザによる設定時に予め検索等により探索し地図情報を閲覧可能として設定されている）を表示する第２の地図情報表示領域８１８ｂと、を含んで構成される。
【０２３８】
なお、収支データ表示領域８１２、番組速報表示領域８１３は、本発明にいう「マルチメディア情報表示領域」に含めることができる。また、第１の地図情報表示領域８１８ａ、第２の地図情報表示領域８１８ｂは、本発明にいう「ブラウジング情報表示領域」に含めることができる。
【０２３９】
また、待受制御部によって生成される各表示領域、各表示領域の各個別内容情報、などはＲＡＭ内の各記憶領域に記憶されていてよく、記憶部には、画像情報記憶領域と、スケジュール情報記憶領域と、マルチメディア情報記憶領域と、電子メール情報記憶領域と、を含んで構成される。
【０２４０】
このため、待受制御部（待受制御手段）又は待受制御ステップは、収支データを取得して前記待受画面上の前記収支データ表示領域に表示する制御を行う機能、スケジュール情報を取得して前記待受画面上の前記スケジュール情報表示領域に表示する制御を行う機能、前記マルチメディア機能の保有する番組情報を取得して前記待受画面上の前記番組情報表示領域に表示する制御を行う機能、前記電子メール機能の保有する第１の電子メール作成画面情報を取得して前記第１の電子メール情報表示領域に表示する制御を行う機能、前記電子メール機能の保有する第２の電子メール作成画面情報を取得して前記第２の電子メール情報表示領域に表示する制御を行う機能、前記第１の電子メール作成画面の電子メール送信先情報と相関する地図情報を前記ブラウジング機能を介して取得して前記待受画面上の前記第１の地図情報表示領域に表示する制御を行う機能、前記第２の電子メール作成画面の電子メール送信先情報と相関する地図情報を前記ブラウジング機能を介して取得して前記待受画面上の前記第２の地図情報表示領域に表示する制御を行う機能、などを含み、さらに加えて、各表示領域を相関性を有する情報に基づいて連動表示する機能などを含んで構成される。
【０２４１】
なお、これらの各表示領域のうちいずれかを操作入力部により選択状態とすると、当該表示領域が拡大するのは、前記第１の実施例と同様である。
また、利用頻度による自動配置変更機能を有効としている場合には、利用頻度に応じて、各表示領域の配置位置が自動変更されたり、利用頻度の高い表示領域は、他の利用頻度の少ない表示領域に比して大きく自動表示されたりする。
【０２４２】
以上のように本実施例によれば、前記第１乃至第５の実施例と同様の作用効果を奏しながらも、様々なユーザニーズに合わせてカスタマイズ設定（表示環境設定条件及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
また、各表示領域は連動させることもでき、多様な情報を一度に参照可能としながらも、互いに関連性のある情報を提供できる。
【０２４３】
［第７の実施例］
次に、本発明にかかる第７の実施例について、図２２に基づいて説明する。なお、以下には、前記第１の実施例の実質的に同様の構成に関しては説明を省略し、異なる部分についてのみ述べる。図２２は、本発明の通信装置の第７の実施例の表示部に表示される表示態様の一例を示す説明図である。なお、ハードウエア構成は、例えば前記第５の実施例の構成とするのが好ましく、また、ソフトウエア構成は、前記第３の実施例の構成とするのが好ましい。いずれの構成の詳細は省略する。
【０２４４】
本実施例では、待受画面の様々な表示環境の構成の具体的一例を示している。本実施例の携帯電話機の待受画面に表示される画面８２０では、「ワンセグ」などのよく見るＴＶ動画像を表示するＴＶ動画像表示領域８２２と、アニメーションなどを作成するアニメーション作成画面を表示したアニメーション情報表示領域８２８と、ＴＶ電話の相手の動画像を表示する第１のＴＶ電話動画像表示領域８２４ａと、ＴＶ電話の自身の動画像を表示する第２のＴＶ電話動画像表示領域８２４ｂと、ｉモードなどの閲覧画面を表示する第１のブラウジング情報表示領域８２５と、ＮＥＷＳなどの情報をネットワークを介して取得し表示する第２のブラウジング情報表示領域８２６と、を含んで構成される。
【０２４５】
なお、アニメーション情報表示領域８２８は、本発明にいう「エンタテイメント情報表示領域」に含めることができる。「エンタテイメント情報表示領域」は、エンタテイメント機能の保有する個別内容情報を表示する。また、ＴＶ動画像表示領域８２２、第１のＴＶ電話動画像表示領域８２４ａ、第２のＴＶ電話動画像表示領域８２４ｂは、それぞれ、本発明にいう「マルチメディア情報表示領域」に含めることができる。
【０２４６】
また、待受制御部によって生成される各表示領域、各表示領域の各個別内容情報、などはＲＡＭ内の各記憶領域に記憶されていてよく、記憶部には、ＴＶ動画像記憶領域と、アニメーション情報記憶領域（エンタテイメント情報記憶領域）と、第１のＴＶ電話動画像記憶領域と、第２のＴＶ電話動画像記憶領域と、第１のブラウジング情報記憶領域と、第２のブラウジング情報記憶領域と、を含んで構成される。
【０２４７】
このため、待受制御部（待受制御手段）又は待受制御ステップは、マルチメディア機能の保有するＴＶ動画像情報を取得して前記待受画面上の前記ＴＶ動画像情報表示領域に表示する制御を行う機能、マルチメディア機能の保有するＴＶ電話相手先動画像情報を取得して前記待受画面上の前記第１のＴＶ電話動画像情報表示領域に表示する制御を行う機能、マルチメディア機能の保有するＴＶ電話自身動画像情報を取得して前記待受画面上の前記第２のＴＶ電話動画像情報表示領域に表示する制御を行う機能、前記エンタテイメント機能の保有する個別内容情報（アニメーション情報）を取得して前記待受画面上の前記エンタテイメント情報表示領域（アニメーション情報表示領域）に表示する制御を行う機能、前記ブラウジング機能の保有する個別内容情報を取得して前記待受画面上の前記ブラウジング情報表示領域に表示する制御を行う機能、などを含み、さらに加えて、各表示領域を相関性を有する情報に基づいて連動表示する機能などを含んで構成される。
【０２４８】
なお、これらの各表示領域のうちいずれかを操作入力部により選択状態とすると、当該表示領域が拡大するのは、前記第１の実施例と同様である。
また、利用頻度による自動配置変更機能を有効としている場合には、利用頻度に応じて、各表示領域の配置位置が自動変更されたり、利用頻度の高い表示領域は、他の利用頻度の少ない表示領域に比して大きく自動表示されたりする。
【０２４９】
以上のように本実施例によれば、前記第１乃至第５の実施例と同様の作用効果を奏しながらも、様々なユーザニーズに合わせてカスタマイズ設定（表示環境設定条件及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
また、各表示領域は連動させることもでき、多様な情報を一度に参照可能としながらも、互いに関連性のある情報を提供できる。
【０２５０】
［第８の実施例］
次に、本発明にかかる第８の実施例について、図２３に基づいて説明する。なお、以下には、前記第１の実施例の実質的に同様の構成に関しては説明を省略し、異なる部分についてのみ述べる。図２３は、本発明の通信装置の第８の実施例の表示部に表示される表示態様の一例を示す説明図である。なお、ハードウエア構成は、例えば前記第５の実施例の構成とするのが好ましく、また、ソフトウエア構成は、前記第３の実施例の構成とするのが好ましい。いずれの構成の詳細は省略する。
【０２５１】
本実施例では、待受画面の様々な表示環境の構成の具体的一例を示している。本実施例の携帯電話機の待受画面に表示される画面８３０では、好みの画像（静止画像、動画像を含む）を表示する画像情報表示領域８３２と、「ワンセグ」などのよく見るＴＶ番組をリアルタイムに表示する第１のＴＶ動画像表示領域８３４ａと、「ワンセグ」などのよく見るＴＶ番組を録画により再生可能な再生画面の一部を表示する第２のＴＶ動画像表示領域８３４ｂと、ストリーミングコンテンツサイトの予め設定時に指定された特定の動画像の一部を表示したコンテンツ表示領域８３６と、よく聴く楽曲の音楽ファイルが再生可能となっている状態にある再生音楽ファイル表示領域８３８と、を含んで構成されている。
【０２５２】
なお、第１のＴＶ動画像表示領域８３４ａ、第２のＴＶ動画像表示領域８３４ｂ、画像情報表示領域８３２、再生音楽ファイル表示領域８３６は、それぞれ、本発明にいう「マルチメディア情報表示領域」に含めることができる。また、コンテンツ表示領域８３６は、本発明にいう「ブラウジング情報表示領域」に含めることができる。
【０２５３】
また、待受制御部によって生成される各表示領域、各表示領域の各個別内容情報、などはＲＡＭ内の各記憶領域に記憶されていてよく、記憶部には、画像情報記憶領域と、第１，第２の各ＴＶ動画像記憶領域と、コンテンツ記憶領域と、再生音楽ファイル記憶領域と、を含んで構成される。
【０２５４】
このため、待受制御部（待受制御手段）又は待受制御ステップは、マルチメディア機能の保有する第１、第２の各ＴＶ動画像情報を取得して前記待受画面上の前記第１、第２の各ＴＶ動画像情報表示領域に表示する制御を行う機能、マルチメディア機能の保有する画像情報を取得して前記待受画面上の前記画像情報表示領域に表示する制御を行う機能、ブラウジング機能の保有する個別内容情報を取得して前記待受画面上の前記ブラウジング情報表示領域に表示する制御を行う機能、マルチメディア機能の保有する再生音楽情報を取得して前記待受画面上の前記再生音楽ファイル表示領域に表示する制御を行う機能、などを含み、さらに加えて、各表示領域を相関性を有する情報に基づいて連動表示する機能などを含んで構成される。
【０２５５】
なお、これらの各表示領域のうちいずれかを操作入力部により選択状態とすると、当該表示領域が拡大するのは、前記第１の実施例と同様である。
また、利用頻度による自動配置変更機能を有効としている場合には、利用頻度に応じて、各表示領域の配置位置が自動変更されたり、利用頻度の高い表示領域は、他の利用頻度の少ない表示領域に比して大きく自動表示されたりする。
【０２５６】
以上のように本実施例によれば、前記第１乃至第５の実施例と同様の作用効果を奏しながらも、様々なユーザニーズに合わせてカスタマイズ設定（表示環境設定条件及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
また、各表示領域は連動させることもでき、多様な情報を一度に参照可能としながらも、互いに関連性のある情報を提供できる。
【０２５７】
［第９の実施例］
次に、本発明にかかる第９の実施例について、図２４に基づいて説明する。なお、以下には、前記第１の実施例の実質的に同様の構成に関しては説明を省略し、異なる部分についてのみ述べる。図２４は、通信装置の第９の実施例の表示部に表示される表示態様の一例を示す説明図である。なお、ハードウエア構成は、例えば前記第５の実施例の構成とするのが好ましく、また、ソフトウエア構成は、前記第３の実施例の構成とするのが好ましい。いずれの構成の詳細は省略する。
【０２５８】
本実施例では、待受画面の様々な表示環境の構成の具体的一例を示している。本実施例の携帯電話機の待受画面に表示される画面８４０では、アニメーションなどの待受アプリケーションを表示するアニメーション表示領域８４２と、非接触ＩＣ通信取得情報を表示する非接触ＩＣ通信取得情報表示領域８４３と、乗車券予約サイトなどの内容を表示し閲覧可能状態とした（ユーザによる設定時に予め検索等により探索し閲覧可能として設定されている）表示領域８４４と、経路探索サイトなどの内容＜電車などの経路情報＞を表示し閲覧可能状態とした（ユーザによる設定時に予め検索等により探索し閲覧可能として設定されている）表示領域８４６ａと、時刻表検索サイトなどの内容＜時刻表情報＞を表示し閲覧可能状態とした（ユーザによる設定時に予め検索等により探索し閲覧可能として設定されている）表示領域８４６ｂと、バス路線図サイトなどの内容＜バスなどの路線図情報＞を表示し閲覧可能状態とした（ユーザによる設定時に予め検索等により探索し閲覧可能として設定されている）表示領域８４６ｃと、地図検索サイトなどの内容＜目的地の地図情報など＞を表示し閲覧可能状態とした（ユーザによる設定時に予め検索等により探索し閲覧可能として設定されている）表示領域８４６ｄと、を含んで構成される。
【０２５９】
なお、非接触ＩＣ通信取得情報表示領域は、本発明にいう「マルチメディア情報表示領域」に含めることができる。また、各表示領域８４４、８４６ａ、８４６ｂ、８４６ｃ、８４６ｄは、それぞれ、本発明にいう「ブラウジング情報表示領域」に含めることができる。  
【０２６０】
また、待受制御部によって生成される各表示領域、各表示領域の各個別内容情報、などはＲＡＭ内の各記憶領域に記憶されていてよく、記憶部には、アニメーション情報記憶領域と、非接触ＩＣ通信取得情報記憶領域と、各サイトから取得される各詳細内容情報を記憶する各記憶領域と、を含んで構成される。
【０２６１】
このため、待受制御部（待受制御手段）又は待受制御ステップは、マルチメディア機能の保有する非接触ＩＣ通信取得情報を取得して前記待受画面上の前記非接触ＩＣ通信取得情報表示領域に表示する制御を行う機能、エンタテイメント機能の保有するアニメーション情報を取得して前記待受画面上の前記アニメーション表示領域に表示する制御を行う機能、ブラウジング機能の保有する各個別内容情報（経路情報、時刻表情報、路線図情報、地図情報など）を取得して前記待受画面上の各前記表示領域に表示する制御を行う機能、などを含み、さらに加えて、各表示領域を相関性を有する情報に基づいて連動表示する機能などを含んで構成される。
【０２６２】
なお、これらの各表示領域のうちいずれかを操作入力部により選択状態とすると、当該表示領域が拡大するのは、前記第１の実施例と同様である。
また、利用頻度による自動配置変更機能を有効としている場合には、利用頻度に応じて、各表示領域の配置位置が自動変更されたり、利用頻度の高い表示領域は、他の利用頻度の少ない表示領域に比して大きく自動表示されたりする。
【０２６３】
以上のように本実施例によれば、前記第１乃至第５の実施例と同様の作用効果を奏しながらも、様々なユーザニーズに合わせてカスタマイズ設定（表示環境設定条件及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
また、各表示領域は連動させることもでき、多様な情報を一度に参照可能としながらも、互いに関連性のある情報を提供できる。
【０２６４】
［第１０の実施例］
次に、本発明にかかる第１０の実施例について、図２５に基づいて説明する。なお、以下には、前記第１の実施例の実質的に同様の構成に関しては説明を省略し、異なる部分についてのみ述べる。図２５は、本発明の通信装置の第１０の実施例の表示部に表示される表示態様の一例を示す説明図である。なお、ハードウエア構成は、例えば前記第５の実施例の構成とするのが好ましく、また、ソフトウエア構成は、前記第３の実施例の構成とするのが好ましい。いずれの構成の詳細は省略する。
【０２６５】
本実施例では、待受画面の様々な表示環境の構成の具体的一例を示している。上述の第２の実施例では、好みの画像情報の表示領域を専用に設けた構成としたが、図２４に示すように、背景画像（静止画像又は動画像）として構成する場合であってもよい。具体的には、本実施例の携帯電話機の待受画面に表示される画面８５０では、前記第２実施例の表示領域と同様の構成である、スケージュールなどを表示するスケジュール情報表示領域８５８と、ｉモードなどが閲覧可能として表示されたブラウジング情報表示領域８５４と、カメラ機能などが起動されて動画像が表示される領域を構成した表示領域８５５と、ＮＥＷＳなどの情報を取得して内容詳細表示された第１の取得情報表示領域８５６ａと、同様にしてＮＥＷＳなどの情報を取得して内容詳細表示され、第１の取得情報表示領域８５６６ａの下方に表示形成される第２の取得情報表示領域８５６ｂと、を含む構成に加え、さらに本実施例の特徴的配置である、好みの画像（動画像又は静止画像）を表示する画像情報表示領域８５２と、を含む構成としている。
【０２６６】
すなわち、画像情報表示領域８５２が背景画像としても表示可能に構成される。この背景画像上に重なるようにして複数の各表示領域が形成される。各表示領域は、前記各実施例同様に、複数の各アプリケーション機能の各内容詳細情報が閲覧可能であって、各表示領域の選択操作によって、各アプリケーション機能が直ちに利用可能となっている。各表示領域を選択操作することで、一表示領域について、選択前の詳細内容情報を、選択後の詳細内容情報に展開していくことも可能である。すなわち、一表示領域内にて画面展開が可能であるし、他の表示領域でも画面展開可能である。これらは、設定変更制御手段（設定変更制御）及び待受制御手段（待受制御部）により可能である。
【０２６７】
なお、これらの各表示領域のうちいずれかを操作入力部により選択状態とすると、当該表示領域が拡大するのは、前記第１の実施例と同様である。
また、利用頻度による自動配置変更機能を有効としている場合には、利用頻度に応じて、各表示領域の配置位置が自動変更されたり、利用頻度の高い表示領域は、他の利用頻度の少ない表示領域に比して大きく自動表示されたりする。
【０２６８】
以上のように本実施例によれば、前記第１乃至第５の実施例と同様の作用効果を奏しながらも、様々なユーザニーズに合わせてカスタマイズ設定（表示環境設定条件＜表示領域の配置位置・領域サイズなど＞及び表示内容設定条件などの設定）可能なポータルサイト型ＵＩの待受画面を提供し、待受画面上の各表示領域の詳細内容情報を閲覧、直ちに利用可能とするために、携帯電話機の多様な機能（各アプリケーション機能）をユーザニーズに応じて起動し、ユーザの利便性が向上する。
【０２６９】
[各種変形例]
なお、本発明にかかる装置及び方法は、そのいくつかの特定の実施例に従って説明してきたが、本発明の主旨および範囲から逸脱することなく本発明の本文に記述した実施例に対して種々の変形が可能である。
設定変更制御手段の機能として、例えば、利用状況情報の一例である利用頻度情報が、特定閾値以上となる場合に、前記特定閾値以上となる各利用頻度情報に対応する各アプリケーション機能若しくは、各アプリケーション機能内の個別内容情報を、待受画面上に自動生成し、前記特定閾値未満となる前記機能ないし前記個別内容情報を、前記待受画面上から自動削除する制御を行ってもよい（自動生成削除機能）。
【０２７０】
また、設定変更制御手段の機能として、前記特定閾値を、第１利用頻度情報及び第２利用頻度情報を含む全利用頻度情報、あるいは第２利用頻度情報のみによる全利用頻度情報の統計分布の上位部（例えば２０％以上）以上に設定して、前記自動生成自動削除の制御を行うようにしてもよい（統計分布考慮制御機能）。
さらに、前記特定閾値は、全利用頻度情報の平均であってもよい。「平均」には、平均（相加平均）、相乗平均、調和平均、加重平均（重みつき平均）、中央値、最頻値などを含んでいてよい。
加えて、前記特定閾値を設定する利用頻度閾値設定部を設けてもよい。設定変更制御手段は、利用頻度閾値設定部にて設定された特定閾値に基づいて、制御を行う。
【０２７１】
加えて、設定変更制御手段の機能として、待受画面上にて利用頻度が高いアプリケーション機能ないしは情報を中央部に、利用頻度が低い機能ないしは情報を周辺部に表示生成するように、待受制御手段の設定条件を変更制御するようにしてもよい。さらに、設定変更制御手段の機能として、待受画面上にて利用頻度が高いアプリケーション機能ないしは情報を周辺部に、利用頻度が低い機能ないしは情報を中央部に表示生成するように、待受制御手段の設定条件を変更制御するようにしてもよい。さらにまた、設定変更制御手段の機能として、待受画面上にて利用頻度が高いアプリケーション機能ないしは情報を左上部及び右下部に、利用頻度が低くなるに従いサイズ領域が小で左上部から左下部に配列、右下部から右上部に配列するよう表示生成するように、待受制御手段の設定条件を変更制御するようにしてもよい。
【０２７２】
また、表示制御部は、ユーザの操作入力に基づく要求に応じて、カスタマイズ後の後待受画面と、カスタマイズ前の前待受画面とを切替表示できる機能（前後切替機能）を有してよい。
さらに、表示制御部は、後待受画面と前待受画面とを比較検討できるよう、モニタ上の画面表示分割を行い双方表示制御する機能（分割表示機能）を有してよい。この際に、前待受画面の機能との関連付けがなされたレイアウト構成の一部（各表示領域の各部品やそれらの組み合わせ）を選択して、後待受画面の一部に複製し、後待受画面をさらにカスタマイズする際の手続きを簡素化してよい。
この機能は、後待受画面と前待受画面との間に限らず、ポータルサイト型ＵＩ購入時待受画面とポータルサイト型ＵＩ雛形待受画面との間で利用できるよう構成してよい。
つまり、何らかの要求に応じて、カスタマイズ前のＵＩ要素を再利用できるようにしておく。
【０２７３】
さらに、上述の各実施例では、ユーザ自身によってカスタマイズする場合を例に挙げたが、各種携帯電話機の機種に応じて、購入前の出荷段階において、ソフトウエア設定を行うようにしてもよい。
【０２７４】
さらに、各表示領域の他の形成例としては、例えば、ホームネットワークにおける監視カメラ等で撮像される自宅の画像情報を表示する領域や、自宅の冷蔵庫に存在する在庫情報などを表示する領域、自宅の冷暖房システムにおける温度・湿度情報などを表示する領域を含んでいてよい。
また、各表示領域の他の形成例としては、例えば、遠隔管理対象の特定のシステム管理サーバにおける管理者用情報やログ情報などを表示する領域や、他の遠隔管理対象の管理サーバにおける管理者用情報やログ情報などを表示する領域を含んでいてよい。  
【０２７５】
設定変更制御部は、ＴＶ（ワンセグ）でよく見るチャンネル頻度（利用頻度情報）に応じて、自動的に特定のチャンネル（最も利用頻度の高い個別内容情報）を設定して表示する機能を有してよい。
【０２７６】
さらに、設定変更制御部及び待受制御部により、一方の表示領域と他方の表示領域とで関連性を持たせてもよい（同期した状態としてもよい）＜表示領域相互相関制御部＞。加えて、利用状況情報として、利用頻度情報の他、検索に用いられたキーワードをログとして蓄積し、利用頻度情報と対応づけるようにしてもよい（キーワード―利用頻度相関テーブル）。この蓄積されたキーワードからよく利用するキーワードを分析し＜キーワード分析部＞、関連する個別内容情報を自動取得してもよい（関連情報自動取得部）。
例えば、ブラウジング情報表示領域には、検索サイトを設定し、ＴＶ動画像表示領域には、前記検索サイトにてよく用いるキーワードに関連する関連度の高いチャンネルの動画像情報（番組や速報など）を取得して自動表示するようにしてもよい。ブラウジング情報表示領域での利用状況に応じて、ＴＶ動画像表示領域での表示内容（個別詳細内容情報）も自動変更される。この際の、取得動画像情報は、リアルタイムの動画像情報に限らず、種々の記憶領域に記憶された録画情報であってもよい。
また、スケジュール情報表示領域と、収支データ表示領域とが設定されている場合に、スケジュール情報表示領域の日付などの項目に連動して、収支データ表示領域には、当該日付までの収支データなどの項目を算出表示するようにしてもよい。
さらに、電話帳情報表示領域と、地図情報表示領域とが設定されている場合に、電話番号情報が選択され発信を行うと、当該電話番号の相手先の位置情報を地図情報として表示するようにしてもよい。
【０２７７】
なお、「スクリプト言語」としては、例えば、ｐｅｒｌ、ｒｕｂｙ、ＰＨＰ、Ｃ＋＋、
ｊａｖａｓｃｒｉｐｔ、ｐｙｔｈｏｎ、ｓｍａｌｌｔａｌｋ、さらには、
ａｗｋ、ｔｃｌ、ｐｙｔｈｏｎ、ｓｈ、Ｓｃｈｍｅ、ＥｍａｃｓＬｉｓｐ、ＣｏｍｍｏｎＬｉｓｐ、Ｃｓｈ、Ｔｅｘ、Ｓｅｄ、Ｍｅｔａｆｏｎｔ、ＰｏｓｔＳｃｒｉｐｔ、ｃｍｄ、ｉｃｏｎなどを挙げることができる。
【０２７８】
なお、設定条件記憶手段には、ポータルサイト型ＵＩの待受画面のひな型ファイルなどを含んでいてよい。
【０２７９】
また、第４の実施例のように、モード切替画像合成制御部及び表示制御部により「待受画面」より、着信待受状態の他、ダウンロード状態、電子メール受信状態などの各状態に画面展開してもよい。例えば、ウェイクアップ時（携帯電話機の電源を入れた時）、音声電話着信時、音声電話発信時、ＴＶ電話着信時、ＴＶ電話発信時、メール送信時、メール受信時などの各状態に対応して切替表示することもできる。また、これらの各状態にて予め設定された画像情報を、前記ポータルサイト型ＵＩの待受画面の複数の各表示領域のうちのいずれかに表示するようにしてもよい。これにより、各状態の画像情報によって、モニタ上の全表示領域が占有されてしまうことを防止できる。
【０２８０】
なお、「画像情報」は、静止画に限らず、動画、あるいは、動画と静止画とが混合したデータも含む。例えばＧＩＦアニメーションなどのように複数の静止画を時系列に並べ、これらを連続的に表示させる態様の他、ＭＰＥＧ４方式の動画、ステガノグラフィなどの埋込情報が含まれる画像情報、も含まれる。
【０２８１】
通信装置の一例である移動通信端末としては携帯電話機やＰＨＳ（Ｐｅｒｓｏｎａｌ  Ｈａｎｄｙｐｈｏｎｅ  Ｓｙｓｔｅｍ）などが挙げられる。
【０２８２】
さらに、上述の各実施例の通信装置（例えば携帯電話機）と、ネットワークを介して通信可能に形成された他の情報処理装置（例えばＰＣ）とを有するシステムにおいて、情報処理装置側に携帯電話機のソフトウエア編集プログラムを搭載し、その編集プログラムにて携帯電話機のポータルサイト型ＵＩをカスタマイズすることも一向に構わない。
その際、情報処理装置と携帯電話機との間の通信構造に際し、いずれか一方又は双方に形成されるインタフェースの種類は、例えばパラレルインタフェース、ＵＳＢインタフェース、ＩＥＥＥ１３９４、ＬＡＮやＷＡＮ等のネットワークやその他これに類するもの、もしくは今後開発される如何なるインタフェースであっても構わない。
【０２８３】
また、携帯電話機のポータルサイト型ＵＩを、ＰＣからＷｅｂサーバのＷｅｂページ上にアクセスすることによって、Ｗｅｂ上からカスタマイザ機能Ｗｅｂページを使用してカスタマイズしたＵＩを携帯電話機にダウンロードして、自身の待受画面に反映させる構成でもよい。
【０２８４】
このため、上述の実施例では、１台の通信装置（コンピュータ）として構成したが、携帯電話機と情報処理装置とのシステムでもよい。
また、前記実施例においては、携帯電話機を構成する場合を例に挙げたがこれに限らず、情報処理装置（コンピュータ）として構成しても構わない。
通信装置は、プログラム制御により動作するものであり、ネットワーク関連の機能を有していれば、デスクトップ、ラップトップコンピュータその他無線・有線通信機能を有する情報機器、またはこれに類するコンピュータなどいかなるコンピュータでもよい。  
【０２８５】
さらに、「通信」では、無線通信および有線通信は勿論、無線通信と有線通信とが混在した通信、即ち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【０２８６】
そして、この通信には通信網が含まれる。通信網を構成するネットワークとしては、例えば携帯電話回線網（基地局及び交換システムを含む）、公衆電話回線網、ＩＰ電話網、ＩＳＤＮ回線網などこれに類する各種回線網、インターネット（乃ち、ＴＣＰ・ＩＰプロトコルを用いた通信態様）やイントラネット、ＬＡＮ（イーサネット：登録商標、やギガビットイーサネットなどを含む）、ＷＡＮ、光ファイバー通信網、電力線通信網、ブロードバンド対応可能な各種専用回線網などいずれのハードウエア構成でもよい。さらに、ネットワークは、ＴＣＰ・ＩＰプロトコルの他、種々の通信プロトコルを用いたネットワークあるいはソフトウエア的に構築された仮想ネットワークやこれに類するあらゆるネットワークを含むネットワークなどいかなる通信プロトコルであってもよい。また、ネットワークは、有線に限らず、無線（衛星通信、各種高周波通信手段等を含む）ネットワーク（例えば、簡易電話システムや携帯電話のようなシングルキャリア通信システム、Ｗ―ＣＤＭＡやＩＥＥＥ８０２．１１ｂに準拠した無線ＬＡＮのようなスペクトラム拡散通信システム、ＩＥＥＥ８０２．１１ａやＨｉｐｅｒＬＡＮ／２のようなマルチキャリア通信システム、などを含むネットワーク）であっても構わず、これらの組み合わせを利用してもよく、他のネットワークと接続されたシステムであってもよい。さらに、ネットワークは、ポイントツーポイント、ポイントツーマルチポイント、マルチポイントツーマルチポイントなど如何なる形態でもよい。
【０２８７】
また、一方の通信装置と他方の通信装置との間の通信構造としては、Ｂｌｕｅｔｏｏｔｈ（登録商標）などの機能を含む構成であってよい。Ｂｌｕｅｔｏｏｔｈは、使用周波数が２．４ＧＨｚで通信距離が約１０ｍであり、規格上、１つのマスターに対して最大７個のスレーブが通信可能で、スレーブ間では通信できず、マスターとスレーブ間のみの通信となる。そのため、ネットワークを形成する場合には、一つのマスターに対して複数のスレーブを形成する「ピコネット」と単位として、複数のピコネットよりなるスキャッタネットを形成することが好ましい。この際、一方のピコネットのマスタに対して、他方のピコネットのスレーブを割り当てるなど様々な構築手法が想定されうる。
【０２８８】
（プログラム）
また、前述した実施例の機能を実現する本発明のソフトウエアのプログラムは、前述した各実施例における図１、図９、図１３、図１６、図１８、及び図１９等に示す各種ブロック図などに示された制御部（制御手段）、機能などに対応したプログラムや、図４、図１２、図１４、及び図１５等に示すフローチャートなどに示された処理手順、処理手段、機能などに対応したプログラムなど（上述の各実施例の通信装置など）において各々処理される各処理プログラム（例えばスクリプト言語で記述された待受制御部のファイル及びそのスクリプト、スクリプトを解析するエンジンなど）、本明細書で全般的に記述される方法（ステップ）、説明された処理、データ（例えば、待受画面データ、利用頻度情報などのログデータ等）、各種記憶部のデータの全体もしくは各部を含む。
【０２８９】
プログラムは、オブジェクトコード、実行ログラム、スクリプトデータ等、プログラムの形態を問わない。上述のプログラムを、一般のパソコンや携帯型情報端末などで動作可能なアプリケーションソフトに組み込んだものも含む。
【０２９０】
プログラムを供給する手法としては、電気通信回線（有線、無線を問わない）によってコンピュータと通信可能に接続された外部の機器から前記電気通信回線を通じて提供することも可能である。例えば、コンピュータのブラウザを用いてインターネットのホームページに接続し、該ホームページからプログラムそのもの、もしくは圧縮され自動インストール機能を含むファイルをハードディスク等の記録媒体にダウンロードすることによっても供給できる。また、プログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるサーバも、範囲に含めることができる。
【０２９１】
（情報記録媒体）
また、プログラムを、情報記録媒体に記録した構成であってもよい。情報記録媒体には、プログラムを含むアプリケーションプログラムが格納されており、コンピュータが当該情報記録媒体からアプリケーションプログラムを読み出し、当該アプリケーションプログラムをハードディスクにインストールすることが可能である。これにより、上述のプログラムは、磁気記録媒体、光記録媒体あるいはＲＯＭなどの情報記録媒体に記録してプログラムを提供することができる。そのようなプログラムが記録された情報記録媒体を、コンピュータにおいて使用することは、好都合な情報処理装置を構成する。
【０２９２】
プログラムを供給するための情報記録媒体としては、例えばＲＯＭ、ＲＡＭ、フラッシュメモリやＳＲＡＭ等の半導体メモリ並びに集積回路、あるいはそれらを含むＵＳＢメモリやメモリカード、光ディスク、光磁気ディスク、磁気記録媒体等を用いてよく、さらに、フレキシブルディスク、ＣＤ−ＲＯＭ、ＣＤ―Ｒ、ＣＤ―ＲＷ、ＦＤ、ＤＶＤＲＯＭ、ＨＤＤＶＤ（ＨＤＤＶＤ−Ｒ−ＳＬ＜1層＞、 ＨＤＤＶＤ−Ｒ−ＤＬ＜２層＞、ＨＤＤＶＤ−ＲＷ−ＳＬ、ＨＤＤＶＤ−ＲＷ−ＤＬ、ＨＤＤＶＤ−ＲＡＭ−ＳＬ）、ＤＶＤ±Ｒ−ＳＬ、ＤＶＤ±Ｒ−ＤＬ、ＤＶＤ±ＲＷ−ＳＬ、ＤＶＤ±ＲＷ−ＤＬ、ＤＶＤ−ＲＡＭ、Ｂｌｕ−Ｒａｙ  Ｄｉｓｋ＜登録商標＞（ＢＤ−ＲーＳＬ、ＢＤ−Ｒ−ＤＬ、ＢＤ−ＲＥ−ＳＬ、ＢＤ−ＲＥ−ＤＬ）、ＭＯ、ＺＩＰ、磁気カード、磁気テープ、ＳＤカード、メモリスティック、不揮発性メモリカード、ＩＣカード、等の可搬媒体、コンピュータシステムに内蔵されるハードディスク等の記憶装置、等に記録して構成して用いてよい。
【０２９３】
さらに「情報記録媒体」は、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
【０２９４】
また、コンピュータ上で稼働しているＯＳ、端末（例えば携帯電話など）上のＲＴＯＳ等が処理の一部又は全部を行う場合にも、上記実施例と同等の機能を実現できると共に、同等の効果を得ることができる。
【０２９５】
さらに、プログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。この場合、本発明の構成は、プログラムの各構成要素（各種の手段、ステップ及びデータ）と、前記プログラム（各種の手段、ステップ及びデータ）を暗号化する暗号化手段と、を含んでよい。
【０２９６】
さらに、上述のプログラムなどが搭載される通信装置としては、例えばパーソナルコンピュータに限らず、各種サーバー、ＥＷＳ（エンジニアリングワークステーション）、中型コンピュータ、メインフレームなどが挙げられる。加えて、携帯型情報端末、各種モバイル端末、ＰＤＡ、携帯電話機、ウエアラブル情報端末、種々の（携帯型などの）テレビ・ＤＶＤレコーダ・各種音響機器及びそのリモコン、各種情報通信機能を搭載した家電機器、ネットワーク機能を有するゲーム機器等からも利用できる構成としても構わない。あるいは、これらの端末に表示されるアプリケーションとして改良されたものも本発明の範囲に含めることができる。
【０２９７】
また、上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【０２９８】
なお、本明細書において、フローチャートに示されるステップは、記載された手順に従って時系列的に行われる処理はもちろん、必ずしも時系列的に処理されなくとも、並列的あるいは個別に実行される処理を含むものである。また、実装では、プログラム手順（ステップ）が実行される順序を変更することができる。さらに、実装の必要に応じて、本明細書で説明した特定の手順（ステップ）を、組み合わされた手順（ステップ）として実装、除去、追加、または再配置することができる。
【０２９９】
さらに、通信装置の各手段、各機能、各ステップの手順の機能などのプログラムの機能を、専用のハードウエア（例えば専用の半導体回路等）によりその機能を達成してもよく、プログラムの全機能のうち一部の機能をハードウエアで処理し、全機能のうちさらに他の機能をソフトウエアで処理するようにしてもよい。専用のハードウエアの場合、各部を集積回路例えばＬＳＩにて形成されてもよい。これらは個別に１チップ化されても良いし、一部または全部を含むように１チップ化されても良い。また、ＬＳＩには、ストリーミングエンジンなど他の機能ブロックが含まれていても良い。また、集積回路化の手法はＬＳＩに限るものではなく、専用回路又は汎用プロセサで実現してもよい。さらには、半導体技術の進歩又は派生する別技術によりＬＳＩに置き換わる集積回路化の技術が登場すれば、当然、その技術を用いて機能ブロックの集積化を行ってもよい。
【０３００】
さらに、上記各実施例には種々の段階が含まれており、開示される複数の構成要件における適宜な組み合わせにより種々の発明が抽出され得る。つまり、上述の各実施例同士、あるいはそれらのいずれかと各変形例のいずれかとの組み合わせによる例をも含むことは言うまでもない。この場合において、実施例において特に記載しなくとも、各実施例及びそれらの変形例に開示した各構成から自明な作用効果については、当然のことながら実施例の作用効果として含めることができる。逆に、実施例に記載されたすべての作用効果を奏することのできる構成が、本発明の本質的特徴部分の必須構成要件であるとは限らない。また、実施例に示される全構成要件から幾つかの構成要件が削除された構成による実施例並びにその構成に基づく技術的範囲も発明になりうることは言うまでもない。
【０３０１】
そして、各実施例及びそれらの変形例を含むこれまでの記述は、本発明の理解を容易にするために、本発明の多様な実施例のうちの一例の開示、すなわち、何れも本発明を実施するにあたっての具体化の例を示したものに過ぎず、例証するものであり、制限するものではなく、適宜変形及び／又は変更が可能である。本発明は、その技術思想、またはその主要な特徴に基づいて、様々な形で実施することができ、各実施例及びその変形例によって本発明の技術的範囲が限定的に解釈されてはならないものである。
従って、上記に開示された各要素は、本発明の技術的範囲に属する全ての設計変更や均等物を含む趣旨である。
【産業上の利用可能性】
【０３０２】
本発明は、通信業界、コンピュータ産業、データ処理産業、その他これに類する情報処理サービス産業に適用可能であり、必ずしも特定の基準に準拠していない可能性のあるコンピュータソフトウェアアプリケーションにも適用可能である。
【図面の簡単な説明】
【０３０３】
【図１】本発明の第１の実施例による通信装置の全体構成の一例を示すブロック図である。
【図２】図１の通信装置のモニタ（表示部）に表示される表示態様の一例を示す説明図である。
【図３】図１の通信装置の表示部の表示領域を拡大した表示態様の一例を示す説明図である。
【図４】本発明の第１の実施例による通信装置の設定時における処理手順の一例を示すフローチャートである。
【図５】図４の処理手順のうち特定手順の詳細な処理の一例を示すフローチャートである。
【図６】図１の通信装置の表示部の表示領域を拡大した表示態様の一例を示す説明図である。
【図７】図１の通信装置の表示部の表示領域を拡大した表示態様の一例を示す説明図である。
【図８】図１の通信装置の表示部の表示領域を拡大した表示態様の一例を示す説明図である。
【図９】本発明の第２の実施例による通信装置の全体構成の一例を示すブロック図である。
【図１０】図９の通信装置のモニタ（表示部）に表示される表示態様の一例を示す説明図である。
【図１１】図９の通信装置のモニタ（表示部）に表示される表示態様の一例を示す説明図である。
【図１２】図９の通信装置のモニタ（表示部）に表示される表示態様の一例を示す説明図である。
【図１３】本発明の第２の実施例による通信装置の表示制御時における処理手順の一例を示すフローチャートである。
【図１４】本発明の第３の実施例による通信装置の全体構成の一例を示すブロック図である。
【図１５】本発明の第３の実施例による通信装置の表示制御時における処理手順の一例を示すフローチャートである。
【図１６】図１５の処理手順のうち特定手順の詳細な処理の一例を示すフローチャートである。
【図１７】本発明の第４の実施例による通信装置の全体構成の一例を示すブロック図である。
【図１８】同図（Ａ）（Ｂ）は、本発明の第５の実施例による通信装置の概観構成の一例を示す斜視図であり、同図（Ａ）は、表側、同図（Ｂ）は、裏側を示す。
【図１９】本発明の第５の実施例による通信装置の全体のハードウエア構成の一例を示すブロック図である。
【図２０】図１９の通信装置のソフトウエア構成の一例を示すブロック図である。
【図２１】本発明の第６の実施例による通信装置の表示部に表示される表示態様の一例を示す説明図である。
【図２２】本発明の第７の実施例による通信装置の表示部に表示される表示態様の一例を示す説明図である。
【図２３】本発明の第８の実施例による通信装置の表示部に表示される表示態様の一例を示す説明図である。
【図２４】本発明の第９の実施例による通信装置の表示部に表示される表示態様の一例を示す説明図である。
【図２５】本発明の第１０の実施例による通信装置の表示部に表示される表示態様の一例を示す説明図である。
【符号の説明】
【０３０４】
１  携帯電話機（通信装置）
１１  操作入力部
１１ａ  第１の設定部（表示環境設定条件設定手段）
１１ｂ  第２の設定部（表示内容設定条件設定手段）
１１ｃ  第３の設定部
１３  モニタ（表示部）
１３ａ  待受画面設定条件設定画面表示状態
１３ｂ  待受画面表示状態
１４  電源処理部
１５  ＲＡＭ
１５ａ  設定条件情報記憶部
１５ｂ  第１利用頻度情報記憶部
１５ｃ  第２利用頻度情報記憶部
１６  ＲＯＭ
１７  通信部
１８  ＣＰＵ（制御部）
２１  マルチメディア制御部
２２  電話帳制御部
２３  エンタテイメント制御部
２４  ブラウジング制御部
２５  メーラ制御部
３１  待受制御部（待受制御手段）
３３  表示制御部
４０Ａ  設定変更制御部（設定変更制御手段）
４１  編集制御部
４２  待受画面表示環境設定条件設定制御部
４３  待受画面設定制御部
４４  待受画面表示内容設定条件設定制御部
４６  第１変更制御部  
４７  第２変更制御部
４８  選択制御部
【図１】
2008301377.tif 000003
【図２】
2008301377.tif 000004
【図３】
2008301377.tif 000005
【図４】
2008301377.tif 000006
【図５】
2008301377.tif 000007
【図６】
2008301377.tif 000008
【図７】
2008301377.tif 000009
【図８】
2008301377.tif 000010
【図９】
2008301377.tif 000011
【図１０】
2008301377.tif 000012
【図１１】
2008301377.tif 000013
【図１２】
2008301377.tif 000014
【図１３】
2008301377.tif 000015
【図１４】
2008301377.tif 000016
【図１５】
2008301377.tif 000017
【図１６】
2008301377.tif 000018
【図１７】
2008301377.tif 000019
【図１８】
2008301377.tif 000020
【図１９】
2008301377.tif 000021
【図２０】
2008301377.tif 000022
【図２１】
2008301377.tif 000023
【図２２】
2008301377.tif 000024
【図２３】
2008301377.tif 000025
【図２４】
2008301377.tif 000026
【図２５】
2008301377.tif 000027